(57)【要約】      （修正有）【課題】管理対象の冷凍機を第三者が操作する可能性を低減する。【解決手段】それぞれが輸送用コンテナ５に取り付けられた複数の冷凍機１０を、管理システム３０によって管理する。管理システムの無線ＬＡＮアダプタ３１は、各冷凍機に一つずつ設けられる。管理システムの管理者端末機３２は、許可エリアの内側だけにおいて、全ての無線ＬＡＮアダプタと無線通信できる。管理システムのドライバー端末機３５は、許可エリアの内側と外側の両方において、対応する一つの無線ＬＡＮアダプタだけと無線通信できる。【選択図】図１
2020022144.tif 000002
【特許請求の範囲】
【請求項１】
複数の輸送用コンテナ（5）に一つずつ取り付けられた冷凍機（10）を管理する管理システムであって、
各上記冷凍機（10）に一つずつ設けられる無線通信ユニット（31）と、
それぞれが上記無線通信ユニット（31）と無線通信する主端末ユニット（32）及び副端末ユニット（35）とを備え、
上記主端末ユニット（32）及び上記副端末ユニット（35）のそれぞれは、上記無線通信ユニット（31）に対して、該無線通信ユニット（31）に対応した上記冷凍機（10）を操作するための操作指令を送信できるように構成され、
上記無線通信ユニット（31）は、該無線通信ユニット（31）に対応する上記冷凍機（10）の制御器（11）に、受信した上記操作指令を伝送するように構成され、
上記主端末ユニット（32）は、予め設定された許可エリア（90）の内側だけにおいて、複数の上記無線通信ユニット（31）に対して上記操作指令を送信できるように構成され、
上記副端末ユニット（35）は、上記許可エリア（90）の内側と外側の両方において、該副端末ユニット（35）に対応する一つの上記無線通信ユニット（31）だけに対して上記操作指令を送信できるように構成される
ことを特徴とする管理システム。
【請求項２】
請求項１において、
上記主端末ユニット（32）は、上記操作指令の送信を許可する許可情報（95）を上記副端末ユニット（35）に与えるための許可動作を実行するように構成され、
上記副端末ユニット（35）は、上記主端末ユニット（32）から上記許可情報（95）を取得した後にだけ、上記操作指令を上記無線通信ユニット（31）へ送信できるように構成される
ことを特徴とする管理システム。
【請求項３】
請求項２において、
上記主端末ユニット（32）は、上記許可情報（95）を表示する動作を、上記許可動作として実行するように構成され、
上記副端末ユニット（35）は、上記主端末ユニット（32）に表示された上記許可情報（95）を読み取って取得するように構成される
ことを特徴とする管理システム。
【請求項４】
請求項３において、
上記主端末ユニット（32）は、上記許可情報（95）をマトリックス型二次元コードに変換して表示するように構成される
ことを特徴とする管理システム。
【請求項５】
請求項２乃至４のいずれか一つにおいて、
上記主端末ユニット（32）は、上記許可情報（95）を取得した上記副端末ユニット（35）が上記操作指令を送信できる一つの上記無線通信ユニット（31）を特定するための通信用情報を、上記許可情報（95）に含めるように構成される
ことを特徴とする管理システム。
【請求項６】
請求項１乃至５のいずれか一つにおいて、
上記主端末ユニット（32）及び上記副端末ユニット（35）は、上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を取得して表示するように構成される
ことを特徴とする管理システム。
【請求項７】
請求項１乃至６のいずれか一つにおいて、
上記副端末ユニット（35）は、予め設定された許可期間においてだけ、上記無線通信ユニット（31）に上記操作指令を送信できるように構成される
ことを特徴とする管理システム。
【請求項８】
請求項１乃至７のいずれか一つにおいて、
上記無線通信ユニット（31）は、上記主端末ユニット（32）と通信しているときに上記副端末ユニット（35）との通信を拒否し、上記主端末ユニット（32）と通信していないときに上記副端末ユニット（35）と通信するように構成される
ことを特徴とする管理システム。
【請求項９】
請求項１乃至８のいずれか一つにおいて、
上記無線通信ユニット（31）は、該無線通信ユニット（31）に対応する上記冷凍機（10）の運転状態に関する運転情報を取得し、取得した運転情報を上記主端末ユニット（32）及び上記副端末ユニット（35）に送信するように構成され、
上記主端末ユニット（32）と上記副端末ユニット（35）のそれぞれは、受信した上記運転情報を表示するように構成される
ことを特徴とする管理システム。
【請求項１０】
複数の輸送用コンテナ（5）に一つずつ取り付けられた冷凍機（10）を、各上記冷凍機（10）に一つずつ設けられる無線通信ユニット（31）と、上記無線通信ユニット（31）と無線通信する主端末ユニット（32）及び副端末ユニット（35）とを用いて管理する管理方法であって、
上記主端末ユニット（32）及び上記副端末ユニット（35）のそれぞれに、上記無線通信ユニット（31）に対して、該無線通信ユニット（31）に対応した上記冷凍機（10）を操作するための操作指令を送信させ、
上記無線通信ユニット（31）に、受信した上記操作指令を、上記無線通信ユニット（31）に対応する上記冷凍機（10）の制御器（11）に伝送させる一方、
上記主端末ユニット（32）には、予め設定された許可エリア（90）の内側だけにおいて、複数の上記無線通信ユニット（31）に対する上記操作指令の送信を認め、
上記副端末ユニット（35）には、上記許可エリア（90）の内側と外側の両方において、該副端末ユニット（35）に対応する一つの上記無線通信ユニット（31）だけに対する上記操作指令の送信を認める
ことを特徴とする管理方法。
【請求項１１】
請求項１０において、
上記主端末ユニット（32）に、上記操作指令の送信を許可する許可情報（95）を上記副端末ユニット（35）に与えるための許可動作を実行させ、
上記主端末ユニット（32）から上記許可情報（95）を取得した上記副端末ユニット（35）にだけ、上記無線通信ユニット（31）に対する上記操作指令の送信を認める
ことを特徴とする管理方法。
【請求項１２】
請求項１１において、
上記主端末ユニット（32）に、上記許可情報（95）を表示する動作を、上記許可動作として実行させ、
上記副端末ユニット（35）に、上記主端末ユニット（32）に表示された上記許可情報（95）を読み取らせて取得させる
ことを特徴とする管理方法。
【請求項１３】
請求項１２において、
上記主端末ユニット（32）に、上記許可情報（95）をマトリックス型二次元コードに変換させて表示させる
ことを特徴とする管理方法。
【請求項１４】
請求項１１乃至１３のいずれか一つにおいて、
上記主端末ユニット（32）に、上記許可情報（95）を取得した上記副端末ユニット（35）が上記操作指令を送信できる一つの上記無線通信ユニット（31）を特定するための通信用情報を、上記許可情報（95）に含めさせる
ことを特徴とする管理方法。
【請求項１５】
請求項１０乃至１４のいずれか一つにおいて、
上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を、上記主端末ユニット（32）及び上記副端末ユニット（35）に取得させて表示させる
ことを特徴とする管理方法。
【請求項１６】
請求項１０乃至１５のいずれか一つにおいて、
上記副端末ユニット（35）に、予め設定された許可期間においてだけ、上記無線通信ユニット（31）に対する上記操作指令の送信を認める
ことを特徴とする管理方法。
【請求項１７】
請求項１０乃至１６のいずれか一つにおいて、
上記無線通信ユニット（31）が上記主端末ユニット（32）と通信しているときに、該無線通信ユニット（31）に上記副端末ユニット（35）との通信を拒否させ、
上記無線通信ユニット（31）が上記主端末ユニット（32）と通信していないときに、該無線通信ユニット（31）に上記副端末ユニット（35）との通信を認める
ことを特徴とする管理方法。
【請求項１８】
請求項１０乃至１７のいずれか一つにおいて、
上記無線通信ユニット（31）に、該無線通信ユニット（31）に対応する上記冷凍機（10）の運転状態に関する運転情報を取得させると共に、取得した運転情報を上記主端末ユニット（32）及び上記副端末ユニット（35）に送信させ、
上記主端末ユニット（32）と上記副端末ユニット（35）のそれぞれに、受信した上記運転情報を表示させる
ことを特徴とする管理方法。
【請求項１９】
複数の輸送用コンテナ（5）に一つずつ取り付けられた冷凍機（10）を管理する管理システム（30）を構成し、各上記冷凍機（10）に一つずつ設けられる無線通信ユニット（31）と無線通信する主端末ユニット（32）にインストールされるプログラムであって、
上記冷凍機（10）を操作するための操作指令を、該冷凍機（10）に対応した上記無線通信ユニット（31）へ送信する送信処理と、
上記プログラムがインストールされた上記主端末ユニット（32）の位置が、予め設定された許可エリア（90）の内側であるか否かを判定する位置判定処理と、
上記送信処理の実行を、上記位置判定処理において上記主端末ユニット（32）の位置が上記許可エリア（90）の内側であると判定された場合だけに制限するエリア制限処理とを、上記主端末ユニット（32）に実行させるプログラム。
【請求項２０】
請求項１９において、
上記主端末ユニット（32）と共に上記管理システム（30）を構成して上記無線通信ユニット（31）と無線通信する副端末ユニット（35）に、該副端末ユニット（35）に対応する一つの上記無線通信ユニット（31）に対する上記操作指令の送信を許可する許可情報（95）を与えるための許可処理を、上記主端末ユニット（32）に実行させるプログラム。
【請求項２１】
請求項２０において、
上記許可情報（95）を表示する処理を、上記許可処理として上記主端末ユニット（32）に実行させるプログラム。
【請求項２２】
請求項２１において、
上記許可情報（95）をマトリックス型二次元コードに変換して表示する処理を、上記許可処理において上記主端末ユニット（32）に実行させるプログラム。
【請求項２３】
請求項２０乃至２２のいずれか一つにおいて、
上記許可情報（95）を取得した上記副端末ユニット（35）が上記操作指令を送信できる一つの上記無線通信ユニット（31）を特定するための通信用情報を上記許可情報（95）に含める処理を、上記許可処理において上記主端末ユニット（32）に実行させるプログラム。
【請求項２４】
請求項１９乃至２３のいずれか一つにおいて、
上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を取得して表示する処理を、上記主端末ユニット（32）に実行させるプログラム。
【請求項２５】
請求項１９乃至２４のいずれか一つにおいて、
複数の上記無線通信ユニット（31）のそれぞれから、該無線通信ユニット（31）に対応する上記冷凍機（10）の運転状態に関する運転情報を取得する運転情報取得処理と、
取得した運転情報を表示する運転情報表示処理とを、上記主端末ユニット（32）に実行させるプログラム。
【請求項２６】
複数の輸送用コンテナ（5）に一つずつ取り付けられた冷凍機（10）を管理する管理システム（30）を構成し、各上記冷凍機（10）に一つずつ設けられる無線通信ユニット（31）と無線通信する副端末ユニット（35）にインストールされるプログラムであって、
上記副端末ユニット（35）に対応する一つの上記無線通信ユニット（31）だけに対する、該無線通信ユニット（31）に対応した上記冷凍機（10）を操作するための操作指令の送信を許可する許可情報（95）を、上記副端末ユニット（35）と共に上記管理システム（30）を構成する主端末ユニット（32）から取得する許可取得処理と、
上記許可情報（95）の取得後に、該許可情報（95）によって上記操作指令の送信を許可された一つの上記無線通信ユニット（31）に対して上記操作指令を送信する送信処理とを、上記副端末ユニット（35）に実行させるプログラム。
【請求項２７】
請求項２６において、
上記主端末ユニット（32）に表示された上記許可情報（95）を読み取って取得する処理を、上記許可取得処理として上記副端末ユニット（35）に実行させるプログラム。
【請求項２８】
請求項２６又は２７において、
上記副端末ユニット（35）が上記操作指令を送信できる一つの上記無線通信ユニット（31）を特定するための通信用情報を含む上記許可情報（95）を、上記主端末ユニット（32）から取得する処理を、上記許可取得処理において上記副端末ユニット（35）に実行させるプログラム。
【請求項２９】
請求項２６乃至２８のいずれか一つにおいて、
上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を取得して表示する処理を、上記副端末ユニット（35）に実行させるプログラム。
【請求項３０】
請求項２６乃至２９のいずれか一つにおいて、
予め設定された許可期間にだけ上記送信処理の実行を認める期間制限処理を、上記副端末ユニット（35）に実行させるプログラム。
【請求項３１】
請求項２６乃至３０のいずれか一つにおいて、
上記副端末ユニット（35）に対応する上記無線通信ユニット（31）から、該無線通信ユニット（31）に対応する上記冷凍機（10）の運転状態に関する運転情報を取得する運転情報取得処理と、
取得した運転情報を表示する運転情報表示処理とを、上記副端末ユニット（35）に実行させるプログラム。
【発明の詳細な説明】
【技術分野】
【０００１】
本開示は、冷凍機の管理システム、冷凍機の管理方法、主端末ユニット用のプログラム、及び副端末ユニット用のプログラムに関するものである。
【背景技術】
【０００２】
特許文献１には、冷凍コンテナの管理システムが開示されている。この管理システムでは、冷凍コンテナに設けられた冷凍機のコントローラと、作業者が操作する携帯端末機との間で無線通信が行われる。携帯端末機には、コントローラから送信された庫内温度や設定温度などの情報が表示される。また、作業者が携帯端末機を操作して設定温度などを入力すると、入力された設定温度が携帯端末機から冷凍機のコントローラへ送信される。
【先行技術文献】
【特許文献】
【０００３】
【特許文献１】特開２０１６−２１７６２１号公報
【発明の概要】
【発明が解決しようとする課題】
【０００４】
ここで、冷凍コンテナの管理システムを構成する携帯端末機は、冷凍コンテナの管理に従事する当事者以外の第三者の手に渡るおそれがある。そして、管理システムを構成する全ての携帯端末機が、冷凍機に対する操作（例えば、設定温度の変更など）を無条件で実行できる場合は、第三者が、入手した携帯端末機を使って冷凍コンテナの冷凍機を操作する可能性がある。
【０００５】
本開示の目的は、管理対象の冷凍機を第三者が操作する可能性を低減することにある。
【課題を解決するための手段】
【０００６】
本開示の第１の態様は、複数の輸送用コンテナ（5）に一つずつ取り付けられた冷凍機（10）を管理する管理システムを対象とする。そして、各上記冷凍機（10）に一つずつ設けられる無線通信ユニット（31）と、それぞれが上記無線通信ユニット（31）と無線通信する主端末ユニット（32）及び副端末ユニット（35）とを備え、上記主端末ユニット（32）及び上記副端末ユニット（35）のそれぞれは、上記無線通信ユニット（31）に対して、該無線通信ユニット（31）に対応した上記冷凍機（10）を操作するための操作指令を送信できるように構成され、上記無線通信ユニット（31）は、該無線通信ユニット（31）に対応する上記冷凍機（10）の制御器（11）に、受信した上記操作指令を伝送するように構成され、上記主端末ユニット（32）は、予め設定された許可エリア（90）の内側だけにおいて、複数の上記無線通信ユニット（31）に対して上記操作指令を送信できるように構成され、上記副端末ユニット（35）は、上記許可エリア（90）の内側と外側の両方において、該副端末ユニット（35）に対応する一つの上記無線通信ユニット（31）だけに対して上記操作指令を送信できるように構成されるものである。
【０００７】
第１の態様の管理システム（30）において、主端末ユニット（32）と副端末ユニット（35）は、操作指令を送信できる対象と、操作指令を送信するための条件とが、互いに異なる。
【０００８】
第１の態様において、主端末ユニット（32）は、複数の無線通信ユニット（31）に対して操作指令を送信できるが、操作指令を送信できるエリアが許可エリア（90）の内側に制限される。つまり、複数の冷凍機（10）を操作可能な主端末ユニット（32）については、操作指令を送信できるエリアが制限される。このため、冷凍機（10）の管理に従事する当事者以外の第三者が主端末ユニット（32）を入手した場合でも、その第三者が入手した主端末ユニット（32）を使って冷凍機（10）を操作する可能性を低減でき、管理システム（30）のセキュリティを高めることができる。
【０００９】
また、第１の態様において、副端末ユニット（35）は、対応する一つの無線通信ユニット（31）に対してしか操作指令を送信できないが、操作指令を送信できるエリアは制限されない。つまり、操作指令を送信できるエリアが制限されない副端末ユニット（35）については、操作できる冷凍機（10）が一台だけに制限される。このため、冷凍機（10）の管理に従事する当事者以外の第三者が副端末ユニット（35）を入手した場合でも、その第三者が入手した副端末ユニット（35）を使って操作できる冷凍機（10）を、第三者が入手した副端末ユニット（35）に対応する一台の冷凍機（10）だけに限定することができる。このため、第三者によって操作される冷凍機（10）の台数を制限でき、管理システム（30）のセキュリティを高めることができる。
【００１０】
本開示の第２の態様は、上記第１の態様において、上記主端末ユニット（32）は、上記操作指令の送信を許可する許可情報（95）を上記副端末ユニット（35）に与えるための許可動作を実行するように構成され、上記副端末ユニット（35）は、上記主端末ユニット（32）から上記許可情報（95）を取得した後にだけ、上記操作指令を上記無線通信ユニット（31）へ送信できるように構成されるものである。
【００１１】
第２の態様の管理システム（30）において、副端末ユニット（35）は、主端末ユニット（32）から許可情報（95）を取得した後でなければ、操作指令を無線通信ユニット（31）に送信できない。従って、この態様によれば、副端末ユニット（35）が操作指令を無線通信ユニット（31）に送信するための条件が厳しくなり、管理システム（30）のセキュリティが更に高まる。
【００１２】
本開示の第３の態様は、上記第２の態様において、上記主端末ユニット（32）は、上記許可情報（95）を表示する動作を、上記許可動作として実行するように構成され、上記副端末ユニット（35）は、上記主端末ユニット（32）に表示された上記許可情報（95）を読み取って取得するように構成されるものである。
【００１３】
第３の態様の管理システム（30）において、副端末ユニット（35）は、主端末ユニット（32）に表示された許可情報（95）を読み取ることによって、主端末ユニット（32）から許可情報（95）を取得する。主端末ユニット（32）に表示された許可情報（95）を副端末ユニット（35）に読み取らせるには、副端末ユニット（35）の使用者が主端末ユニット（32）の使用者と面会する必要がある。従って、この態様によれば、主端末ユニット（32）の使用者が副端末ユニット（35）の使用者を見て確認することが可能となり、管理システム（30）のセキュリティが更に高まる。
【００１４】
本開示の第４の態様は、上記第３の態様において、上記主端末ユニット（32）は、上記許可情報（95）をマトリックス型二次元コードに変換して表示するように構成されるものである。
【００１５】
第４の態様の管理システム（30）において、主端末ユニット（32）は、マトリックス型二次元コードに変換した許可情報（95）を表示する。
【００１６】
本開示の第５の態様は、上記第２〜第４のいずれか一つの態様において、上記主端末ユニット（32）は、上記許可情報（95）を取得した上記副端末ユニット（35）が上記操作指令を送信できる一つの上記無線通信ユニット（31）を特定するための通信用情報を、上記許可情報（95）に含めるように構成されるものである。
【００１７】
第５の態様の管理システム（30）において、主端末ユニット（32）は、副端末ユニット（35）に与える許可情報（95）に、通信用情報を入れ込む。このため、副端末ユニット（35）は、取得した許可情報（95）に含まれる通信用情報を用いて、対応する一つの無線通信ユニット（31）との無線通信を行うことができる。
【００１８】
本開示の第６の態様は、上記第１〜第５のいずれか一つの態様において、上記主端末ユニット（32）及び上記副端末ユニット（35）は、上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を取得して表示するように構成されるものである。
【００１９】
第６の態様の管理システム（30）において、主端末ユニット（32）と副端末ユニット（35）のそれぞれは、輸送用コンテナ（5）のコンテナ識別記号と、輸送用車両（2）の車両登録情報との一方または両方を取得して表示する。このため、主端末ユニット（32）の使用者は、主端末ユニット（32）に表示されたコンテナ識別記号と車両登録情報との一方または両方に基づいて、主端末ユニット（32）が無線通信を行う無線通信ユニット（31）に対応する冷凍機（10）を容易に確認できる。また、副端末ユニット（35）の使用者は、副端末ユニット（35）に表示されたコンテナ識別記号と車両登録情報との一方または両方に基づいて、副端末ユニット（35）が無線通信を行う無線通信ユニット（31）に対応する冷凍機（10）を容易に確認できる。
【００２０】
本開示の第７の態様は、上記第１〜第６のいずれか一つの態様において、上記副端末ユニット（35）は、予め設定された許可期間においてだけ、上記無線通信ユニット（31）に上記操作指令を送信できるように構成されるものである。
【００２１】
第７の態様の管理システム（30）において、副端末ユニット（35）は、許可期間でなければ、操作指令を無線通信ユニット（31）に送信できない。従って、この態様によれば、副端末ユニット（35）が操作指令を無線通信ユニット（31）に送信できるための条件が厳しくなり、管理システム（30）のセキュリティが更に高まる。
【００２２】
本開示の第８の態様は、上記第１〜第７のいずれか一つの態様において、上記無線通信ユニット（31）は、上記主端末ユニット（32）と通信しているときに上記副端末ユニット（35）との通信を拒否し、上記主端末ユニット（32）と通信していないときに上記副端末ユニット（35）と通信するように構成されるものである。
【００２３】
第８の態様の管理システム（30）において、無線通信ユニット（31）は、主端末ユニット（32）と副端末ユニット（35）のうち、主端末ユニット（32）と優先的に通信する。
【００２４】
本開示の第９の態様は、上記第１〜第８のいずれか一つの態様において、上記無線通信ユニット（31）は、該無線通信ユニット（31）に対応する上記冷凍機（10）の運転状態に関する運転情報を取得し、取得した運転情報を上記主端末ユニット（32）及び上記副端末ユニット（35）に送信するように構成され、上記主端末ユニット（32）と上記副端末ユニット（35）のそれぞれは、受信した上記運転情報を表示するように構成されるものである。
【００２５】
第９の態様の管理システム（30）において、無線通信ユニット（31）は、冷凍機（10）から取得した運転情報を、主端末ユニット（32）及び副端末ユニット（35）に送信する。主端末ユニット（32）と副端末ユニット（35）のそれぞれは、受信した運転情報を表示する。このため、主端末ユニット（32）及び副端末ユニット（35）の使用者は、冷凍機（10）から離れた場所においても、冷凍機（10）の運転状態に関する運転情報を知ることができる。
【００２６】
本開示の第１０の態様は、複数の輸送用コンテナ（5）に一つずつ取り付けられた冷凍機（10）を、各上記冷凍機（10）に一つずつ設けられる無線通信ユニット（31）と、上記無線通信ユニット（31）と無線通信する主端末ユニット（32）及び副端末ユニット（35）とを用いて管理する管理方法を対象とする。そして、上記主端末ユニット（32）及び上記副端末ユニット（35）のそれぞれに、上記無線通信ユニット（31）に対して、該無線通信ユニット（31）に対応した上記冷凍機（10）を操作するための操作指令を送信させ、上記無線通信ユニット（31）に、受信した上記操作指令を、上記無線通信ユニット（31）に対応する上記冷凍機（10）の制御器（11）に伝送させる一方、上記主端末ユニット（32）には、予め設定された許可エリア（90）の内側だけにおいて、複数の上記無線通信ユニット（31）に対する上記操作指令の送信を認め、上記副端末ユニット（35）には、上記許可エリア（90）の内側と外側の両方において、該副端末ユニット（35）に対応する一つの上記無線通信ユニット（31）だけに対する上記操作指令の送信を認めるものである。
【００２７】
第１０の態様の管理方法において、主端末ユニット（32）と副端末ユニット（35）は、第１の態様の管理システム（30）と同様に、操作指令を送信できる対象と、操作指令を送信するための条件とが、互いに異なる。そして、第１の態様の管理システム（30）と同様に、複数の冷凍機（10）を操作可能な主端末ユニット（32）については、操作指令を送信できるエリアが制限されるため、管理システム（30）のセキュリティを高めることができる。また、第１の態様の管理システム（30）と同様に、操作指令を送信できるエリアが制限されない副端末ユニット（35）については、操作できる冷凍機（10）が一台だけに制限されるため、管理システム（30）のセキュリティを高めることができる。
【００２８】
本開示の第１１の態様は、上記第１０の態様において、上記主端末ユニット（32）に、上記操作指令の送信を許可する許可情報（95）を上記副端末ユニット（35）に与えるための許可動作を実行させ、上記主端末ユニット（32）から上記許可情報（95）を取得した上記副端末ユニット（35）にだけ、上記無線通信ユニット（31）に対する上記操作指令の送信を認めるものである。
【００２９】
第１１の態様の管理方法において、副端末ユニット（35）は、主端末ユニット（32）から許可情報（95）を取得した後でなければ、操作指令を無線通信ユニット（31）に送信できない。従って、この態様によれば、副端末ユニット（35）が操作指令を無線通信ユニット（31）に送信できるための条件を厳格化でき、管理システム（30）のセキュリティを更に高めることができる。
【００３０】
本開示の第１２の態様は、上記第１１の態様において、上記主端末ユニット（32）に、上記許可情報（95）を表示する動作を、上記許可動作として実行させ、上記副端末ユニット（35）に、上記主端末ユニット（32）に表示された上記許可情報（95）を読み取らせて取得させるものである。
【００３１】
第１２の態様の管理方法において、副端末ユニット（35）は、主端末ユニット（32）に表示された許可情報（95）を読み取ることによって、主端末ユニット（32）から許可情報（95）を取得する。従って、この態様によれば、第３の態様の管理システム（30）と同様に、主端末ユニット（32）の使用者が副端末ユニット（35）の使用者を見て確認することが可能となり、管理システム（30）のセキュリティが更に高まる。
【００３２】
本開示の第１３の態様は、上記第１２の態様において、上記主端末ユニット（32）に、上記許可情報（95）をマトリックス型二次元コードに変換させて表示させるものである。
【００３３】
第１３の態様の管理方法において、主端末ユニット（32）は、マトリックス型二次元コードに変換した許可情報（95）を表示する。
【００３４】
本開示の第１４の態様は、上記第１１〜第１３のいずれか一つの態様において、上記主端末ユニット（32）に、上記許可情報（95）を取得した上記副端末ユニット（35）が上記操作指令を送信できる一つの上記無線通信ユニット（31）を特定するための通信用情報を、上記許可情報（95）に含めさせるものである。
【００３５】
第１４の態様の管理方法において、主端末ユニット（32）は、副端末ユニット（35）に与える許可情報（95）に、通信用情報を入れ込む。このため、副端末ユニット（35）は、取得した許可情報（95）に含まれる通信用情報を用いて、対応する一つの無線通信ユニット（31）との無線通信を行うことができる。
【００３６】
本開示の第１５の態様は、上記第１０〜第１４のいずれか一つの態様において、上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を、上記主端末ユニット（32）及び上記副端末ユニット（35）に取得させて表示させるものである。
【００３７】
第１５の態様の管理方法において、主端末ユニット（32）と副端末ユニット（35）のそれぞれは、輸送用コンテナ（5）のコンテナ識別記号と、輸送用車両（2）の車両登録情報との一方または両方を取得して表示する。このため、主端末ユニット（32）の使用者は、主端末ユニット（32）に表示されたコンテナ識別記号と車両登録情報との一方または両方に基づいて、主端末ユニット（32）が無線通信を行う無線通信ユニット（31）に対応する冷凍機（10）を容易に確認できる。また、副端末ユニット（35）の使用者は、副端末ユニット（35）に表示されたコンテナ識別記号と車両登録情報との一方または両方に基づいて、副端末ユニット（35）が無線通信を行う無線通信ユニット（31）に対応する冷凍機（10）を容易に確認できる。
【００３８】
本開示の第１６の態様は、上記第１０〜第１５のいずれか一つの態様において、上記副端末ユニット（35）に、予め設定された許可期間においてだけ、上記無線通信ユニット（31）に対する上記操作指令の送信を認めるものである。
【００３９】
第１６の態様の管理方法において、副端末ユニット（35）は、許可期間でなければ、操作指令を無線通信ユニット（31）に送信できない。従って、この態様によれば、副端末ユニット（35）が操作指令を無線通信ユニット（31）に送信できるための条件が厳しくなり、管理システム（30）のセキュリティが更に高まる。
【００４０】
本開示の第１７の態様は、上記第１０〜第１６のいずれか一つの態様において、上記無線通信ユニット（31）が上記主端末ユニット（32）と通信しているときに、該無線通信ユニット（31）に上記副端末ユニット（35）との通信を拒否させ、上記無線通信ユニット（31）が上記主端末ユニット（32）と通信していないときに、該無線通信ユニット（31）に上記副端末ユニット（35）との通信を認めるものである。
【００４１】
第１７の態様の管理方法において、無線通信ユニット（31）は、主端末ユニット（32）と副端末ユニット（35）のうち、主端末ユニット（32）と優先的に通信する。
【００４２】
本開示の第１８の態様は、上記第１０〜第１７のいずれか一つの態様において、上記無線通信ユニット（31）に、該無線通信ユニット（31）に対応する上記冷凍機（10）の運転状態に関する運転情報を取得させると共に、取得した運転情報を上記主端末ユニット（32）及び上記副端末ユニット（35）に送信させ、上記主端末ユニット（32）と上記副端末ユニット（35）のそれぞれに、受信した上記運転情報を表示させるものである。
【００４３】
第１８の態様の管理方法において、無線通信ユニット（31）は、冷凍機（10）から取得した運転情報を、主端末ユニット（32）及び副端末ユニット（35）に送信する。主端末ユニット（32）と副端末ユニット（35）のそれぞれは、受信した運転情報を表示する。このため、主端末ユニット（32）及び副端末ユニット（35）の使用者は、冷凍機（10）から離れた場所においても、冷凍機（10）の運転状態に関する運転情報を知ることができる。
【００４４】
本開示の第１９の態様は、複数の輸送用コンテナ（5）に一つずつ取り付けられた冷凍機（10）を管理する管理システム（30）を構成し、各上記冷凍機（10）に一つずつ設けられる無線通信ユニット（31）と無線通信する主端末ユニット（32）にインストールされるプログラムを対象とする。そして、上記冷凍機（10）を操作するための操作指令を、該冷凍機（10）に対応した上記無線通信ユニット（31）へ送信する送信処理と、上記プログラムがインストールされた上記主端末ユニット（32）の位置が、予め設定された許可エリア（90）の内側であるか否かを判定する位置判定処理と、上記送信処理の実行を、上記位置判定処理において上記主端末ユニット（32）の位置が上記許可エリア（90）の内側であると判定された場合だけに制限するエリア制限処理とを、上記主端末ユニット（32）に実行させるものである。
【００４５】
第１９の態様のプログラムがインストールされた主端末ユニット（32）は、エリア制限処理を実行する。このため、主端末ユニット（32）は、複数の無線通信ユニット（31）に対して操作指令を送信できるが、操作指令を送信できるエリアが許可エリア（90）の内側に制限される。つまり、複数の冷凍機（10）を操作可能な主端末ユニット（32）について、操作指令を送信できるエリアが制限される。このため、第１の態様と同様に、第三者が主端末ユニット（32）を使って冷凍機（10）を操作する可能性を低減でき、管理システム（30）のセキュリティを高めることができる。
【００４６】
本開示の第２０の態様は、上記第１９の態様において、上記主端末ユニット（32）と共に上記管理システム（30）を構成して上記無線通信ユニット（31）と無線通信する副端末ユニット（35）に、該副端末ユニット（35）に対応する一つの上記無線通信ユニット（31）に対する上記操作指令の送信を許可する許可情報（95）を与えるための許可処理を、上記主端末ユニット（32）に実行させるものである。
【００４７】
第２０の態様のプログラムがインストールされた主端末ユニット（32）は、許可処理を実行する。この主端末ユニット（32）は、副端末ユニット（35）に与える許可情報（95）において、“その副端末ユニット（35）に対応する一つの無線通信ユニット（31）に対する操作指令の送信”を許可する。このため、副端末ユニット（35）は、操作できる冷凍機（10）が一台だけに制限される。従って、この態様によれば、第１の態様の管理システム（30）と同様に、第三者によって操作される冷凍機（10）の台数を制限でき、管理システム（30）のセキュリティを高めることができる。
【００４８】
また、第２０の態様のプログラムがインストールされた主端末ユニット（32）と共に管理システム（30）を構成する副端末ユニット（35）は、主端末ユニット（32）から許可情報（95）を取得した後でなければ、操作指令を無線通信ユニット（31）に送信できない。従って、この態様によれば、副端末ユニット（35）が操作指令を無線通信ユニット（31）に送信できるための条件を厳格化でき、管理システム（30）のセキュリティを更に高めることができる。
【００４９】
本開示の第２１の態様は、上記第２０の態様において、上記許可情報（95）を表示する処理を、上記許可処理として上記主端末ユニット（32）に実行させるものである。
【００５０】
第２１の態様のプログラムがインストールされた主端末ユニット（32）は、その許可処理において、許可情報（95）を表示する。
【００５１】
本開示の第２２の態様は、上記第２１の態様において、上記許可情報（95）をマトリックス型二次元コードに変換して表示する処理を、上記許可処理において上記主端末ユニット（32）に実行させるものである。
【００５２】
第２２の態様のプログラムがインストールされた主端末ユニット（32）は、マトリックス型二次元コードに変換した許可情報（95）を表示する。
【００５３】
本開示の第２３の態様は、上記第２０〜第２２のいずれか一つの態様において、上記許可情報（95）を取得した上記副端末ユニット（35）が上記操作指令を送信できる一つの上記無線通信ユニット（31）を特定するための通信用情報を上記許可情報（95）に含める処理を、上記許可処理において上記主端末ユニット（32）に実行させるものである。
【００５４】
第２３の態様のプログラムがインストールされた主端末ユニット（32）は、副端末ユニット（35）に与える許可情報（95）に、通信用情報を入れ込む。このため、主端末ユニット（32）は、無線通信ユニット（31）に対して操作指令を送信するための許可と共に、通信用情報を副端末ユニット（35）に与えることができる。
【００５５】
本開示の第２４の態様は、上記第１９〜第２３のいずれか一つの態様において、上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を取得して表示する処理を、上記主端末ユニット（32）に実行させるものである。
【００５６】
第２４の態様のプログラムがインストールされた主端末ユニット（32）は、コンテナ識別記号と車両登録情報の少なくとも一方を取得して表示する。このため、主端末ユニット（32）の使用者は、主端末ユニット（32）に表示されたコンテナ識別記号と車両登録情報との一方または両方に基づいて、主端末ユニット（32）が無線通信を行う無線通信ユニット（31）に対応する冷凍機（10）を容易に確認できる。
【００５７】
本開示の第２５の態様は、上記第１９〜第２４のいずれか一つの態様において、複数の上記無線通信ユニット（31）のそれぞれから、該無線通信ユニット（31）に対応する上記冷凍機（10）の運転状態に関する運転情報を取得する運転情報取得処理と、取得した運転情報を表示する運転情報表示処理とを、上記主端末ユニット（32）に実行させるものである。
【００５８】
第２５の態様のプログラムがインストールされた主端末ユニット（32）は、複数の無線通信ユニット（31）のそれぞれから取得した運転情報を表示する。このため、主端末ユニット（32）の使用者は、複数の冷凍機（10）の運転状態に関する運転情報を、容易に知ることが可能となる。
【００５９】
本開示の第２６の態様は、複数の輸送用コンテナ（5）に一つずつ取り付けられた冷凍機（10）を管理する管理システム（30）を構成し、各上記冷凍機（10）に一つずつ設けられる無線通信ユニット（31）と無線通信する副端末ユニット（35）にインストールされるプログラムを対象とする。そして、上記副端末ユニット（35）に対応する一つの上記無線通信ユニット（31）だけに対する、該無線通信ユニット（31）に対応した上記冷凍機（10）を操作するための操作指令の送信を許可する許可情報（95）を、上記副端末ユニット（35）と共に上記管理システム（30）を構成する主端末ユニット（32）から取得する許可取得処理と、上記許可情報（95）の取得後に、該許可情報（95）によって上記操作指令の送信を許可された一つの上記無線通信ユニット（31）に対して上記操作指令を送信する送信処理とを、上記副端末ユニット（35）に実行させるものである。
【００６０】
第２６の態様のプログラムがインストールされた副端末ユニット（35）は、許可取得処理を実行する。副端末ユニット（35）は、許可取得処理を行うことによって、主端末ユニット（32）から許可情報（95）を取得する。許可情報（95）を取得した副端末ユニット（35）は、その副端末ユニット（35）に対応する一つの無線通信ユニット（31）に対してだけ、操作指令の送信できる。
【００６１】
第２６の態様のプログラムがインストールされた副端末ユニット（35）は、操作できる冷凍機（10）が一台だけに制限される。従って、この態様によれば、第１の態様の管理システム（30）と同様に、第三者によって操作される冷凍機（10）の台数を制限でき、管理システム（30）のセキュリティを高めることができる。
【００６２】
第２６の態様のプログラムがインストールされた副端末ユニット（35）は、主端末ユニット（32）から許可情報（95）を取得した後でなければ、操作指令を無線通信ユニット（31）に送信できない。従って、この態様によれば、副端末ユニット（35）が操作指令を無線通信ユニット（31）に送信できるための条件を厳格化でき、管理システム（30）のセキュリティを更に高めることができる。
【００６３】
本開示の第２７の態様は、上記第２６の態様において、上記主端末ユニット（32）に表示された上記許可情報（95）を読み取って取得する処理を、上記許可取得処理として上記副端末ユニット（35）に実行させるものである。
【００６４】
第２７の態様のプログラムがインストールされた副端末ユニット（35）は、主端末ユニット（32）に表示された許可情報（95）を読み取ることによって、主端末ユニット（32）から許可情報（95）を取得する。従って、この態様によれば、第３の態様の管理システム（30）と同様に、主端末ユニット（32）の使用者が副端末ユニット（35）の使用者を見て確認することが可能となり、管理システム（30）のセキュリティが更に高まる。
【００６５】
本開示の第２８の態様は、上記第２６又は第２７の態様において、上記副端末ユニット（35）が上記操作指令を送信できる一つの上記無線通信ユニット（31）を特定するための通信用情報を含む上記許可情報（95）を、上記主端末ユニット（32）から取得する処理を、上記許可取得処理において上記副端末ユニット（35）に実行させるものである。
【００６６】
第２８の態様のプログラムがインストールされた副端末ユニット（35）は、許可取得処理において、通信用情報を含む許可情報（95）を、主端末ユニット（32）から取得する。このため、副端末ユニット（35）は、取得した許可情報（95）に含まれる通信用情報を用いて、対応する一つの無線通信ユニット（31）との無線通信を行うことができる。
【００６７】
本開示の第２９の態様は、上記第２６〜第２８のいずれか一つの態様において、上記冷凍機（10）が取り付けられた上記輸送用コンテナ（5）に固有のコンテナ識別記号と、上記冷凍機（10）が取り付けられた上記輸送用コンテナ（5）を搭載する輸送用車両（2）のナンバープレート（3）に記載された車両登録情報との一方または両方を取得して表示する処理を、上記副端末ユニット（35）に実行させるものである。
【００６８】
第２９の態様のプログラムがインストールされた副端末ユニット（35）は、コンテナ識別記号と車両登録情報の少なくとも一方を取得して表示する。このため、副端末ユニット（35）の使用者は、副端末ユニット（35）に表示されたコンテナ識別記号と車両登録情報との一方または両方に基づいて、副端末ユニット（35）が無線通信を行う無線通信ユニット（31）に対応する冷凍機（10）を容易に確認できる。
【００６９】
本開示の第３０の態様は、上記第２６〜第２９のいずれか一つの態様において、予め設定された許可期間にだけ上記送信処理の実行を認める期間制限処理を、上記副端末ユニット（35）に実行させるものである。
【００７０】
第３０の態様のプログラムがインストールされた副端末ユニット（35）は、許可期間でなければ、操作指令を無線通信ユニット（31）に送信できない。従って、この態様によれば、副端末ユニット（35）が操作指令を無線通信ユニット（31）に送信できるための条件が厳しくなり、管理システム（30）のセキュリティが更に高まる。
【００７１】
本開示の第３１の態様は、上記第２６〜第３０のいずれか一つの態様において、上記副端末ユニット（35）に対応する上記無線通信ユニット（31）から、該無線通信ユニット（31）に対応する上記冷凍機（10）の運転状態に関する運転情報を取得する運転情報取得処理と、取得した運転情報を表示する運転情報表示処理とを、上記副端末ユニット（35）に実行させるものである。
【００７２】
第３１の態様では、のプログラムがインストールされた副端末ユニット（35）は、その副端末ユニット（35）に対応する無線通信ユニット（31）から取得した運転情報を表示する。このため、副端末ユニット（35）の使用者は、その副端末ユニット（35）を用いて操作できる冷凍機（10）の運転状態に関する運転情報を、冷凍機（10）から離れた場所においても、知ることが可能となる。
【図面の簡単な説明】
【００７３】
【図１】図１は、実施形態の管理システムと、管理システムの管理対象である冷凍機が設けられたトレーラとを示すシステム構成図である。
【図２】図２は、実施形態の管理システムの管理対象である冷凍機が設けられたトレーラ、及びトレーラを牽引するトラクタの概略側面図である。
【図３】図３は、許可エリアの一例を示す地図である。
【図４】図４は、実施形態の管理システムの構成と、管理システムの管理対象である冷凍機の制御器の構成とを示すブロック図である。
【図５】図５は、実施形態の無線ＬＡＮアダプタの構成を示すブロック図である。
【図６】図６は、実施形態の管理者端末機の構成を示すブロック図である。
【図７】図７は、実施形態のドライバー端末機の構成を示すブロック図である。
【図８】図８は、実施形態の管理者端末機の動作を示すフロー図である。
【図９】図９は、実施形態の管理者端末機が表示するＧＰＳ情報取得画面を示す図である。
【図１０】図１０は、実施形態の管理者端末機が表示するパスワード入力画面を示す図である。
【図１１】図１１は、実施形態の管理者端末機が表示するトレーラ選択画面を示す図である。
【図１２】図１２は、冷凍機の作動中に実施形態の管理者端末機が表示するモニター画面を示す図である。
【図１３】図１３は、冷凍機の停止中に実施形態の管理者端末機が表示するモニター画面を示す図である。
【図１４】図１４は、実施形態の管理者端末機が表示する運転履歴取得画面を示す図である。
【図１５】図１５は、実施形態の管理者端末機が表示するドライバー認証画面を示す図である。
【図１６】図１６は、実施形態のドライバー端末機の動作を示すフロー図である。
【図１７】図１７は、実施形態のドライバー端末機が表示する許可情報取得画面を示す図である。
【図１８】図１８は、実施形態のドライバー端末機が表示するモニター画面を示す図である。
【発明を実施するための形態】
【００７４】
本実施形態は、複数台の冷凍機（10）を管理する管理システム（30）である。この管理システム（30）は、複数台の冷凍機（10）を管理するための管理方法を実行する。
【００７５】
−管理システムの管理対象−
図１に示すように、本実施形態の管理システム（30）は、四台の冷凍機（10a〜10d）を管理対象とする。なお、管理システム（30）によって管理される冷凍機（10）の台数は、単なる一例である。
【００７６】
〈冷凍機、輸送用コンテナ、トレーラ〉
図１に示すように、各冷凍機（10a〜10d）は、輸送用コンテナ（5a〜5d）に一台ずつ取り付けられる。つまり、第１冷凍機（10a）は第１輸送用コンテナ（5a）に取り付けられ、第２冷凍機（10b）は第２輸送用コンテナ（5b）に取り付けられ、第３冷凍機（10c）は第３輸送用コンテナ（5c）に取り付けられ、第４冷凍機（10d）は第４輸送用コンテナ（5d）に取り付けられる。輸送用コンテナ（5a〜5d）は、物品を貯蔵する貯蔵庫の一種である。
【００７７】
各輸送用コンテナ（5a〜5d）は、対応するトレーラ（2a〜2d）の車台に固定される。つまり、第１輸送用コンテナ（5a）は第１トレーラ（2a）に取り付けられ、第２輸送用コンテナ（5b）は第２トレーラ（2b）に取り付けられ、第３輸送用コンテナ（5c）は第３トレーラ（2c）に取り付けられ、第４輸送用コンテナ（5d）は第４トレーラ（2d）に取り付けられる。輸送用コンテナ（5a〜5d）は、トレーラ（2a〜2d）の車台に対して、容易には着脱できない状態で固定される。
【００７８】
各トレーラ（2a〜2d）には、ナンバープレート（3a〜3d）が取り付けられる。各トレーラ（2a〜2d）のナンバープレート（3a〜3d）には、そのトレーラ（2a〜2d）に固有の車両登録情報が記載される。
【００７９】
図２に示すように、各トレーラ（2a〜2d）は、個別にトラクタ（1）に連結され、トラクタ（1）に牽引されて走行する。
【００８０】
〈冷凍機の構成〉
図示は省略するが、各冷凍機（10a〜10d）は、冷凍サイクルを行う冷媒回路を備える。冷媒回路には、圧縮機と、凝縮器と、膨張弁と、蒸発器とが設けられる。また、冷凍機（10）は、凝縮器へ庫外空気を送る庫外ファンと、蒸発器へ庫内空気を送る庫内ファンとを備える。圧縮機を作動させると、冷媒回路において冷媒が循環し、蒸気圧縮冷凍サイクルが行われる。冷凍機（10）は、輸送用コンテナ（5）の庫内空気を吸い込んで蒸発器において冷却し、冷却した空気を輸送用コンテナ（5）の庫内空間へ吹き出す。
【００８１】
各冷凍機（10a〜10d）は、制御器（11）を備える。図４に示すように、各冷凍機（10a〜10d）の制御器（11）は、演算処理ユニット（12）と、メモリーユニット（16）と、通信ユニット（19）とを備える。各冷凍機（10a〜10d）の制御器（11）は、輸送用コンテナ（5）の庫内温度（庫内の気温）が設定温度となるように、対応する冷凍機（10a〜10d）の運転を制御する。
【００８２】
演算処理ユニット（12）は、例えば集積回路から成るマイクロプロセッサである。演算処理ユニット（12）は、圧縮機制御部（13）、膨張弁制御部（14）、及びファン制御部（15）として機能する。圧縮機制御部（13）は、冷凍機（10）の冷媒回路に設けられた圧縮機の回転速度を制御する。膨張弁制御部（14）は、冷凍機（10）の冷媒回路に設けられた膨張弁の開度を制御する。ファン制御部（15）は、冷凍機（10）に設けられた庫内ファン及び庫外ファンの回転速度を制御する。
【００８３】
メモリーユニット（16）は、例えば集積回路から成る半導体メモリーである。メモリーユニット（16）は、設定温度記憶部（17）及び運転履歴記憶部（18）として機能する。設定温度記憶部（17）は、輸送用コンテナ（5）の庫内温度の設定値（設定温度）を記憶する。運転履歴記憶部（18）は、輸送用コンテナ（5）の庫内温度に関するデータログを記憶する。このデータログは、冷凍機（10）の運転中における輸送用コンテナ（5）の庫内温度を所定の時間毎（例えば、３０分毎）に記録して得られたデータである。
【００８４】
また、メモリーユニット（16）は、そのメモリーユニット（16）を有する制御器（11）が設けられた冷凍機（10）を特定するための冷凍機識別情報を記憶する。このメモリーユニット（16）は、対応する冷凍機（10）が取り付けられた輸送用コンテナ（5）に付与されたコンテナ識別記号を、冷凍機識別情報を記憶する。コンテナ識別記号は、国際規格ＩＳＯ６３４６に基づいて、輸送用コンテナ（5）毎に個別に付与される記号である。
【００８５】
通信ユニット（19）は、後述する管理システム（30）の無線ＬＡＮアダプタ（31）と通信するためのユニットである。通信ユニット（19）は、信号線を介して無線ＬＡＮアダプタ（31）に接続し、無線ＬＡＮアダプタ（31）との間で有線通信を行う。
【００８６】
−管理システムの概要−
図１に示すように、管理システム（30）は、冷凍機（10）と同数の無線ＬＡＮアダプタ（31a〜31d）と、一台の管理者端末機（32）と、冷凍機（10）と同数のドライバー端末機（35a〜35d）とを備える。管理システム（30）は、複数台の冷凍機（10）を管理するための管理方法を、無線ＬＡＮアダプタ（31a〜31d）と、管理者端末機（32）と、ドライバー端末機（35a〜35d）とを用いて実行する。
【００８７】
〈無線ＬＡＮアダプタ〉
無線ＬＡＮアダプタ（31）は、管理者端末機（32）及びドライバー端末機（35）と無線通信を行う無線通信ユニットである。無線ＬＡＮアダプタ（31a〜31d）は、各冷凍機（10a〜10d）に一つずつ設けられる。つまり、第１無線ＬＡＮアダプタ（31a）は第１冷凍機（10a）に設けられ、第２無線ＬＡＮアダプタ（31b）は第２冷凍機（10b）に設けられ、第３無線ＬＡＮアダプタ（31c）は第３冷凍機（10c）に設けられ、第４無線ＬＡＮアダプタ（31d）は第４冷凍機（10d）に設けられる。
【００８８】
各無線ＬＡＮアダプタ（31a〜31d）は、対応する冷凍機（10a〜10d）の制御器（11）と有線通信を行う。詳しくは後述するが、各無線ＬＡＮアダプタ（31a〜31d）は、対応する冷凍機（10a〜10d）を操作するための操作指令を、管理者端末機（32）または対応するドライバー端末機（35a〜35d）から受信し、対応する冷凍機（10a〜10d）の制御器（11）へ伝送する。
【００８９】
〈管理者端末機〉
管理者端末機（32）は、無線ＬＡＮアダプタ（31）と無線通信を行う主端末ユニットである。この管理者端末機（32）は、管理者端末機用のアプリケーションプログラム（33）がインストールされたスマートフォンまたはタブレット端末である。管理者端末機（32）は、表示装置と入力装置を兼ねたタッチパネルディスプレイ（34）を備える。
【００９０】
管理者端末機（32）は、トレーラ（2）への荷物の積み込みやトレーラ（2）からの荷下ろしが行われる配送センター（91）において、トレーラ（2）の運行を管理する管理者によって使用されることが想定された端末機である。
【００９１】
管理者端末機（32）にインストールされたアプリケーションプログラム（33）は、管理者端末機（32）を全ての無線ＬＡＮアダプタ（31a〜31d）と無線通信可能とするように構成される。このため、管理者端末機（32）は、管理システム（30）が管理対象とする全ての冷凍機（10）に設けられた無線ＬＡＮアダプタ（31a〜31d）と無線通信できる。そして、管理者端末機（32）は、全ての無線ＬＡＮアダプタ（31a〜31d）に対して、各無線ＬＡＮアダプタ（31a〜31d）に対応する冷凍機（10a〜10d）を操作するための操作指令を送信可能である。
【００９２】
管理者端末機（32）は、各冷凍機（10a〜10d）を起動させる指令と、各冷凍機（10a〜10d）を停止させる指令と、各冷凍機（10a〜10d）の制御器（11）が記憶する設定温度を変更する指令とを、操作指令として無線ＬＡＮアダプタ（31a〜31d）に送信できる。
【００９３】
また、管理者端末機（32）にインストールされたアプリケーションプログラム（33）は、管理者端末機（32）が所定の許可エリア（90）内に位置している場合にだけ、管理者端末機（32）に所定の処理を実行させるように構成される。図３に示すように、通常は、配送センター（91）の全体を含むエリアが、許可エリア（90）に設定される。このため、管理者端末機（32）は、無線ＬＡＮアダプタ（31a〜31d）が発した通信用の電波を受信でき、更には管理者端末機（32）が許可エリア（90）内に位置する場合にだけ、無線ＬＡＮアダプタ（31a〜31d）との通信を行うことができる。
【００９４】
〈ドライバー端末機〉
ドライバー端末機（35）は、無線ＬＡＮアダプタ（31）と無線通信を行う副端末ユニットである。このドライバー端末機（35）は、ドライバー端末機用のアプリケーションプログラム（36）がインストールされたスマートフォンまたはタブレット端末である。ドライバー端末機（35）は、表示装置と入力装置を兼ねたタッチパネルディスプレイ（37）を備える。また、ドライバー端末機（35）は、レンズ部と撮像素子とを有するカメラユニット（38）を備える。カメラユニット（38）は、そのレンズ部がドライバー端末機（35）の背面（即ち、ディスプレイ（37）とは逆側の面）に露出する。
【００９５】
ドライバー端末機（35）は、トレーラ（2）を牽引するトラクタ（1）の運転者によって使用されることが想定された端末機である。
【００９６】
ドライバー端末機（35）にインストールされたアプリケーションプログラム（36）は、ドライバー端末機（35）を、そのドライバー端末機（35）に対応する一つの無線ＬＡＮアダプタ（31）とだけ無線通信可能とするように構成される。このため、各ドライバー端末機（35a〜35d）は、そのドライバー端末機（35a〜35d）を使用する運転者が担当するトレーラ（2）の冷凍機（10）に設けられた無線ＬＡＮアダプタ（31a〜31d）だけと無線通信できる。そして、各ドライバー端末機（35a〜35d）は、対応する一つの無線ＬＡＮアダプタ（31a〜31d）に対して、各無線ＬＡＮアダプタ（31a〜31d）に対応する冷凍機（10a〜10d）を操作するための操作指令を送信可能である。
【００９７】
従って、第１ドライバー端末機（35a）は、第１無線ＬＡＮアダプタ（31a）だけに対して、第１トレーラ（2a）の第１冷凍機（10a）を操作するための操作指令を送信可能である。また、第２ドライバー端末機（35b）は、第２無線ＬＡＮアダプタ（31b）だけに対して、第２トレーラ（2b）の第２冷凍機（10b）を操作するための操作指令を送信可能である。また、第３ドライバー端末機（35c）は、第３無線ＬＡＮアダプタ（31c）だけに対して、第３トレーラ（2c）の第３冷凍機（10c）を操作するための操作指令を送信可能である。また、第４ドライバー端末機（35d）は、第４無線ＬＡＮアダプタ（31d）だけに対して、第４トレーラ（2d）の第４冷凍機（10d）を操作するための操作指令を送信可能である。
【００９８】
各ドライバー端末機（35a〜35d）は、“対応する冷凍機（10a〜10d）の制御器（11）が記憶する設定温度”を変更する指令を、操作指令として無線ＬＡＮアダプタ（31a〜31d）に送信できる。管理者端末機（32）とは異なり、ドライバー端末機（35a〜35d）は、対応する冷凍機（10a〜10d）を起動させる指令と、冷凍機（10a〜10d）を停止させる指令とを、操作指令として無線ＬＡＮアダプタ（31a〜31d）に送信することができない。
【００９９】
また、ドライバー端末機（35）にインストールされたアプリケーションプログラム（36）は、管理者端末機（32）から許可を受けた後の所定の許可期間においてだけ、ドライバー端末機（35）を対応する無線ＬＡＮアダプタ（31）と通信可能とするように構成される。
【０１００】
ここで、トラクタ（1）の運転者によって使用されるドライバー端末機（35）は、トレーラ（2）を牽引するトラクタ（1）と共に、配送センター（91）から遠く離れた場所にまで移動する。このため、ドライバー端末機（35）にインストールされたアプリケーションプログラム（36）は、ドライバー端末機（35）が対応する無線ＬＡＮアダプタ（31）と無線通信できるエリアを限定しないように構成される。
【０１０１】
−無線ＬＡＮアダプタ−
図５に示すように、無線ＬＡＮアダプタ（31）は、演算処理ユニット（40）と、メモリーユニット（45）と、通信ユニット（48）とを備える。無線ＬＡＮアダプタ（31）は、管理者端末機（32）及び対応するドライバー端末機（35）と、対応する冷凍機（10）の制御器（11）との間の情報の授受を仲介する。
【０１０２】
演算処理ユニット（40）は、例えば集積回路から成るマイクロプロセッサである。演算処理ユニット（40）は、無線ＬＡＮアダプタ（31）にインストールされたプログラムを実行することによって、通信対象特定部（41）、操作指令伝送部（42）、運転情報伝送部（43）、及び運転履歴伝送部（44）として機能する。
【０１０３】
メモリーユニット（45）は、例えば集積回路から成る半導体メモリーである。メモリーユニット（45）には、無線ＬＡＮアダプタ（31）にインストールされたプログラムが記録される。また、メモリーユニット（45）は、冷凍機識別情報記憶部（46）及び通信用情報記憶部（47）として機能する。
【０１０４】
通信ユニット（48）は、管理者端末機（32）及び対応するドライバー端末機（35）と無線通信を行う通信モジュールである。また、通信ユニット（48）は、無線ＬＡＮアダプタ（31）に対応する冷凍機（10）の制御器（11）と有線通信を行うことができる。
【０１０５】
〈通信対象特定部〉
通信対象特定部（41）は、通信ユニット（48）を、管理者端末機（32）とドライバー端末機（35）のうち管理者端末機（32）と優先的に通信させる。
【０１０６】
具体的に、通信対象特定部（41）は、通信ユニット（48）が管理者端末機（32）と通信中にドライバー端末機（35）から接続要求を受けた場合、通信ユニット（48）にドライバー端末機（35）からの接続要求を拒否させる。また、通信対象特定部（41）は、通信ユニット（48）がドライバー端末機（35）と通信中に管理者端末機（32）から接続要求を受けた場合、通信ユニット（48）にドライバー端末機（35）との通信を遮断させて管理者端末機（32）と通信させる。
【０１０７】
このように、通信対象特定部（41）は、通信ユニット（48）が管理者端末機（32）と通信していないときと、通信ユニット（48）に対して管理者端末機（32）が接続要求を送信していない状態において、通信ユニット（48）に対してドライバー端末機（35）との通信を許可する。
【０１０８】
〈操作指令伝送部〉
操作指令伝送部（42）は、管理者端末機（32）又は対応するドライバー端末機（35）から受信した操作指令を、通信ユニット（48）から対応する冷凍機（10）の制御器（11）に対して送信する。
【０１０９】
〈運転情報伝送部〉
運転情報伝送部（43）は、所定の時間（例えば、１分間）が経過する毎に、対応する冷凍機（10）の運転状態に関する運転情報を、対応する冷凍機（10）の制御器（11）から取得して管理者端末機（32）又は対応するドライバー端末機（35）へ送信する。本実施形態において、運転情報伝送部（43）は、対応する冷凍機（10）の制御器（11）が記憶する設定温度と、対応する冷凍機（10）が取り付けられた輸送用コンテナ（5）の庫内温度の測定値とを、運転情報として取得する。
【０１１０】
〈運転履歴伝送部〉
運転履歴伝送部（44）は、管理者端末機（32）によって指定された冷凍機（10）から、その冷凍機（10）の制御器（11）の運転履歴記憶部（18）に記録された“輸送用コンテナ（5）の庫内温度に関するデータログ”を取得し、取得したデータログを管理者端末機（32）へ送信する。
【０１１１】
〈冷凍機識別情報記憶部〉
冷凍機識別情報記憶部（46）は、無線ＬＡＮアダプタ（31）が取り付けられた冷凍機（10）を特定するための冷凍機識別情報を記憶する。冷凍機識別情報は、無線ＬＡＮアダプタ（31）を冷凍機（10）に取り付ける際に、冷凍機識別情報記憶部（46）に記録される。
【０１１２】
本実施形態の冷凍機識別情報記憶部（46）は、無線ＬＡＮアダプタ（31）に対応する冷凍機（10）が取り付けられた輸送用コンテナ（5）に付与されたコンテナ識別記号と、その輸送用コンテナ（5）が搭載されたトレーラ（2）のナンバープレート（3）に記載された車両登録情報とを、冷凍機識別情報として記憶する。コンテナ識別記号は、冷凍機（10）の制御器（11）から無線ＬＡＮアダプタ（31）によって取得される。車両登録情報は、管理者端末機（32）から無線ＬＡＮアダプタ（31）によって取得される。
【０１１３】
〈通信用情報記憶部〉
通信用情報記憶部（47）は、無線ＬＡＮアダプタ（31）を特定するための通信用情報を記憶する。この通信用情報は、管理者端末機（32）及びドライバー端末機（35）が無線ＬＡＮアダプタ（31）と通信するために必要な情報である。
【０１１４】
具体的に、通信用情報記憶部（47）は、ＳＳＩＤ（Service Set Identifier）および暗号化キーを通信用情報として記憶する。ＳＳＩＤは、無線ＬＡＮのアクセスポイントを識別するための文字列である。通信用情報記憶部（47）は、その通信用情報記憶部（47）を有するメモリーユニット（45）を備えた無線ＬＡＮアダプタ（31）を識別するためのＳＳＩＤを記憶する。暗号化キーは、管理者端末機（32）及びドライバー端末機（35）が無線ＬＡＮアダプタ（31）と通信する際に必要なパスワードである。通信用情報記憶部（47）は、その通信用情報記憶部（47）を有するメモリーユニット（45）を備えた無線ＬＡＮアダプタ（31）について設定された暗号化キーを記憶する。
【０１１５】
−管理者端末機の構成−
図６に示すように、管理者端末機（32）は、演算処理ユニット（50）と、メモリーユニット（60）と、通信ユニット（68）とを備える。管理者端末機（32）は、管理システム（30）を構成する全ての無線ＬＡＮアダプタ（31）と無線通信を行う。
【０１１６】
演算処理ユニット（50）は、例えば集積回路から成るマイクロプロセッサである。演算処理ユニット（50）は、管理者端末機（32）にインストールされたアプリケーションプログラム（33）を実行することによって、位置情報取得部（51）、許可エリア設定部（52）、位置判定部（53）、使用者識別部（54）、操作指令部（55）、許可付与部（56）、運転情報取得部（57）、情報表示部（58）、及び運転履歴取得部（59）として機能する。
【０１１７】
メモリーユニット（60）は、例えば集積回路から成る半導体メモリーである。メモリーユニット（60）には、管理者端末機（32）にインストールされたアプリケーションプログラム（33）が記録される。また、メモリーユニット（60）は、許可エリア記憶部（61）、位置情報記憶部（62）、通信用情報記憶部（63）、使用者識別情報記憶部（64）、冷凍機識別情報記憶部（65）、運転情報記憶部（66）、及び運転履歴記憶部（67）として機能する。
【０１１８】
通信ユニット（68）は、無線ＬＡＮアダプタ（31）と無線通信を行う通信モジュールである。通信ユニット（68）は、管理者端末機（32）が通信可能な複数の無線ＬＡＮアダプタ（31）の中から、無線通信を行う一つの無線ＬＡＮアダプタ（31）を、メモリーユニット（60）が記憶するＳＳＩＤを用いて特定する。
【０１１９】
〈位置情報取得部〉
位置情報取得部（51）は、管理者端末機（32）の位置を示す位置情報を取得する。この位置情報取得部（51）は、ＧＰＳ（Global Positioning System）衛星から受信した情報を利用して、管理者端末機（32）の位置（具体的には、管理者端末機（32）が存在する地点の緯度と経度）を特定する。このように、位置情報取得部（51）は、“管理者端末機（32）が存在する地点の緯度と経度”を“管理者端末機（32）の位置情報”として取得する。
【０１２０】
位置情報取得部（51）は、所定の時間（例えば、１分間）が経過する毎に、“管理者端末機（32）の位置情報”を取得してメモリーユニット（60）の位置情報記憶部（62）に記録する。位置情報記憶部（62）に記録された“管理者端末機（32）の位置情報”は、位置情報取得部（51）が“管理者端末機（32）の位置情報”を取得する毎に更新される。
【０１２１】
〈許可エリア設定部〉
許可エリア設定部（52）は、許可エリア（90）を定めるエリア設定処理を行う。許可エリア（90）は、管理者端末機（32）がアプリケーションプログラム（33）に基づく処理を実行できるエリアである。図３に示すように、本実施形態の許可エリア設定部（52）は、基準位置ＣＰを中心とする半径が基準半径Ｒａの円形の領域を、許可エリア（90）とする。
【０１２２】
許可エリア設定部（52）は、管理者端末機（32）の使用者に対して、基準位置の特定を要求する。例えば、許可エリア設定部（52）は、「現在位置を基準位置に設定しますか？」というメッセージをディスプレイ（34）に表示する。そして、そのメッセージと共にディスプレイ（34）に表示された「ＯＫ」ボタンを管理者端末機（32）の使用者がタップすると、許可エリア設定部（52）は、その時点における管理者端末機（32）の位置を、基準位置として取得する。つまり、許可エリア設定部（52）は、その時点で位置情報取得部（51）が取得している“管理者端末機（32）が存在する地点の緯度と経度”を、“基準位置の緯度と経度”として取得する。
【０１２３】
また、許可エリア設定部（52）は、管理者端末機（32）の使用者に対して、基準半径の入力を要求する。例えば、許可エリア設定部（52）は、ディスプレイ（34）に“基準半径の入力を管理者端末機（32）の使用者に促すメッセージ”を表示し、管理者端末機（32）の使用者によって入力された数値（例えば、５０ｍ）を基準半径として取得する。
【０１２４】
許可エリア設定部（52）は、取得した基準位置および基準半径を、許可エリア（90）を特定するための許可エリア特定情報として、メモリーユニット（60）の許可エリア記憶部（61）に記録する。
【０１２５】
〈位置判定部〉
位置判定部（53）は、“管理者端末機（32）の位置が許可エリア（90）の内側であるか否か”を判定する位置判定処理を行う。位置判定部（53）は、位置情報取得部（51）が“管理者端末機（32）の位置情報”を取得する毎に、位置判定処理を行う。
【０１２６】
具体的に、位置判定部（53）は、メモリーユニット（60）の許可エリア記憶部（61）から許可エリア特定情報を読み出し、メモリーユニット（60）の位置情報記憶部（62）から“管理者端末機（32）の位置情報”を読み出す。そして、位置判定部（53）は、“管理者端末機（32）の位置”が“許可エリア特定情報によって特定した許可エリア（90）”の内側か否かを判断する。
【０１２７】
また、位置判定部（53）は、エリア制限処理を行う。具体的に、位置判定部（53）は、“管理者端末機（32）の位置”が許可エリア（90）の内側であると判断した場合、管理者端末機（32）にアプリケーションプログラム（33）の実行を継続させる。一方、位置判定部（53）は、“管理者端末機（32）の位置”が許可エリア（90）の外側であると判断した場合、管理者端末機（32）にアプリケーションプログラム（33）の実行を終了させる。
【０１２８】
〈使用者識別部〉
使用者識別部（54）は、“管理者端末機（32）の使用者が特定人物であることを示す使用者識別情報”の入力を“管理者端末機（32）の使用者”に要求する使用者識別情報要求処理を行う。具体的に、使用者識別部（54）は、後述するパスワード入力画面（105）をディスプレイ（34）に表示させ、管理者端末機（32）の使用者に対して、使用者識別情報であるパスワードの入力を促す。
【０１２９】
使用者識別部（54）は、パスワード入力画面（105）において使用者が入力したパスワード（入力パスワード）と、メモリーユニット（60）の使用者識別情報記憶部（64）が記憶するパスワード（登録済みパスワード）とを比較する。入力パスワードが登録済みパスワードと一致する場合、使用者識別部（54）は、演算処理ユニット（50）にアプリケーションプログラム（33）の実行を継続させる。一方、入力パスワードが登録済みパスワードと一致しない場合、使用者識別部（54）は、演算処理ユニット（50）にアプリケーションプログラム（33）の実行を中断させ、登録済みパスワードと一致するパスワードが使用者によって入力されるまで待機する。
【０１３０】
〈操作指令部〉
操作指令部（55）は、送信処理を行う。つまり、操作指令部（55）は、“冷凍機（10）を操作するための操作指令”を管理者端末機（32）の使用者が入力した場合に、入力された操作指令を無線ＬＡＮアダプタ（31）に送信する。
【０１３１】
操作指令部（55）は、管理者端末機（32）の使用者によって指定された冷凍機（10）に対応する無線ＬＡＮアダプタ（31）に対し、その指定された冷凍機（10）についての操作指令を送信する。具体的に、操作指令部（55）は、各冷凍機（10a〜10d）を起動させる指令と、各冷凍機（10a〜10d）を停止させる指令と、各冷凍機（10a〜10d）の制御器（11）が記憶する設定温度を変更する指令とを、操作指令として無線ＬＡＮアダプタ（31a〜31d）に送信できる。
【０１３２】
〈許可付与部〉
許可付与部（56）は、許可情報（95）をドライバー端末機（35）に与えるための許可処理を行う。許可情報（95）は、ドライバー端末機（35）に対して、一つの無線ＬＡＮアダプタ（31）との無線通信を許可するための情報である。許可付与部（56）は、許可情報（95）を作成してディスプレイ（34）に表示させる処理を、許可処理として行う。
【０１３３】
許可付与部（56）は、管理者端末機（32）の使用者によって特定された冷凍機（10）に設けられた無線ＬＡＮアダプタ（31）について、その無線ＬＡＮアダプタ（31）との通信をドライバー端末機（35）に許可するための許可情報を作成する。許可付与部（56）は、“管理者端末機（32）の使用者によって特定された冷凍機（10）”に設けられた無線ＬＡＮアダプタ（31）についての通信用情報を、メモリーユニット（60）から読み出す。
【０１３４】
通信用情報は、メモリーユニット（60）の通信用情報記憶部（63）が記憶するＳＳＩＤおよび暗号化キーである。この通信用情報は、“管理者端末機（32）によって許可情報（95）を与えられるドライバー端末機（35）”が対応する無線ＬＡＮアダプタ（31）と無線通信を行うために必要な情報である。
【０１３５】
許可付与部（56）は、メモリーユニット（60）から読み出した一つの無線ＬＡＮアダプタ（31）についての通信用情報と、その時の時刻とを並べることによって、許可情報（95）を作成する。許可情報（95）は、一つの無線ＬＡＮアダプタ（31）についてのＳＳＩＤ及び暗号化キーと、許可付与部（56）が許可情報（95）を作成する処理を行った時刻とを、所定の順番で並べた情報である。
【０１３６】
許可付与部（56）は、作成した許可情報を暗号化し、暗号化した許可情報（95）をマトリックス型二次元コードに変換する。本実施形態の許可付与部（56）は、暗号化した許可情報（95）を、国際規格ＩＳＯ／ＩＥＣ１８００４に規定されたＱＲコード（登録商標）に変換する。そして、許可付与部（56）は、ＱＲコードに変換した許可情報（95）を、管理者端末機（32）のディスプレイ（34）に表示する。
【０１３７】
〈運転情報取得部〉
運転情報取得部（57）は、運転情報取得処理を行う。この運転情報取得部（57）は、管理者端末機（32）が通信可能な全ての無線ＬＡＮアダプタ（31）から、各無線ＬＡＮアダプタ（31）に対応する冷凍機（10）の運転情報を取得する。
【０１３８】
具体的に、運転情報取得部（57）は、各無線ＬＡＮアダプタ（31）の運転情報伝送部（43）を介して、各無線ＬＡＮアダプタ（31）に対応する冷凍機（10）から、その冷凍機（10）の制御器（11）が記憶する設定温度と、その冷凍機（10）が取り付けられた輸送用コンテナ（5）の庫内温度の測定値とを、運転情報として取得する。運転情報取得部（57）は、取得した運転情報を、メモリーユニット（60）の運転情報記憶部（66）に記録する。
【０１３９】
運転情報取得部（57）は、所定の時間（例えば、１分間）が経過する毎に、各冷凍機（10）に関する運転情報を取得する。運転情報取得部（57）は、運転情報を取得する毎に、運転情報記憶部（66）に記録された運転情報を更新する。
【０１４０】
〈情報表示部〉
情報表示部（58）は、運転情報表示処理を行う。この情報表示部（58）は、メモリーユニット（60）の運転情報記憶部（66）に記録された各冷凍機（10）の運転情報を、管理者端末機（32）のディスプレイ（34）に表示する。更に、情報表示部（58）は、メモリーユニット（60）の冷凍機識別情報記憶部（65）に記録された各冷凍機（10）の冷凍機識別情報を、管理者端末機（32）のディスプレイ（34）に表示する。
【０１４１】
〈運転履歴取得部〉
運転履歴取得部（59）は、無線ＬＡＮアダプタ（31）に設けられた演算処理ユニット（40）の運転履歴伝送部（44）を介して、冷凍機（10）の制御器（11）の運転履歴記憶部（18）に記録された“輸送用コンテナ（5）の庫内温度に関するデータログ”を取得する。運転履歴取得部（59）は、取得したデータログを、メモリーユニット（60）の運転履歴記憶部（67）に記録する。
【０１４２】
〈許可エリア記憶部〉
許可エリア記憶部（61）は、許可エリア設定部（52）が取得した基準位置および基準半径を、許可エリア（90）を特定するための許可エリア特定情報として記憶する。
【０１４３】
なお、本実施形態の管理者端末機（32）にインストールされたアプリケーションプログラム（33）は、許可エリア記憶部（61）に記録された許可エリア特定情報を変更する処理を管理者端末機（32）に実行させない。従って、アプリケーションプログラム（33）を管理者端末機（32）から一旦消去してインストールし直さない限り、許可エリア記憶部（61）に記録された許可エリア特定情報を変更することはできない。
【０１４４】
〈位置情報記憶部〉
位置情報記憶部（62）は、位置情報取得部（51）が取得した“管理者端末機（32）の位置情報”を記憶する。上述したように、位置情報記憶部（62）に記録された“管理者端末機（32）の位置情報”は、位置情報取得部（51）が“管理者端末機（32）の位置情報”を取得する毎に、最新の“管理者端末機（32）の位置情報”に更新される。
【０１４５】
〈通信用情報記憶部〉
通信用情報記憶部（63）は、管理者端末機（32）が通信可能な各無線ＬＡＮアダプタ（31）に関するＳＳＩＤおよび暗号化キーを、通信用情報として記憶する。この通信用情報は、通信相手の無線ＬＡＮアダプタ（31）を特定するための情報である。
【０１４６】
管理者端末機（32）は、各無線ＬＡＮアダプタ（31）からＳＳＩＤおよび暗号化キーを取得する。通信用情報記憶部（63）は、管理者端末機（32）が取得したＳＳＩＤおよび暗号化キーを、そのＳＳＩＤおよび暗号化キーが付与された無線ＬＡＮアダプタ（31）と関連づけて記憶する。
【０１４７】
〈使用者識別情報記憶部〉
使用者識別情報記憶部（64）は、管理者端末機（32）の使用者が特定人物であることを示す使用者識別情報を記憶する。本実施形態の使用者識別情報記憶部（64）は、予め登録されたパスワードを記憶する。
【０１４８】
〈冷凍機識別情報記憶部〉
冷凍機識別情報記憶部（65）は、管理者端末機（32）が通信可能な各無線ＬＡＮアダプタ（31）に対応する冷凍機（10）の冷凍機識別情報を記憶する。
【０１４９】
ここで、管理者端末機（32）の演算処理ユニット（50）は、各無線ＬＡＮアダプタ（31）のメモリーユニット（45）の冷凍機識別情報記憶部（46）から、その無線ＬＡＮアダプタ（31）に対応する冷凍機（10）が取り付けられた輸送用コンテナ（5）に付与されたコンテナ識別記号を取得する処理を行う。
【０１５０】
また、管理者端末機（32）の演算処理ユニット（50）は、各輸送用コンテナ（5）が搭載されたトレーラ（2）のナンバープレート（3）に記載された車両登録情報を、管理者端末機（32）の使用者に入力させることによって取得する処理を行う。演算処理ユニット（50）が取得した車両登録情報は、各トレーラ（2）に対応する無線ＬＡＮアダプタ（31）に送信され、無線ＬＡＮアダプタ（31）のメモリーユニット（45）の冷凍機識別情報記憶部（46）に記録される。
【０１５１】
冷凍機識別情報記憶部（65）は、演算処理ユニット（50）の上述した処理（冷凍機識別情報取得処理）によって取得されたコンテナ識別記号および車両登録情報を、そのコンテナ識別記号および車両登録情報によって特定される冷凍機（10）に対応した無線ＬＡＮアダプタ（31）と関連づけて記憶する。
【０１５２】
〈運転情報記憶部〉
運転情報記憶部（66）は、運転情報取得部（57）が取得した各冷凍機（10）の運転情報を記憶する。運転情報記憶部（66）は、管理者端末機（32）が通信可能な各無線ＬＡＮアダプタ（31）に対応する冷凍機（10）と、各冷凍機（10）に関する運転情報とを関連づけて記憶する。上述したように、運転情報記憶部（66）に記録された“冷凍機（10）の運転情報”は、運転情報取得部（57）が“冷凍機（10）の運転情報”を取得する毎に、最新の“冷凍機（10）の運転情報”に更新される。
【０１５３】
〈運転履歴記憶部〉
運転履歴記憶部（67）は、運転履歴取得部（59）が取得した“輸送用コンテナ（5）の庫内温度に関するデータログ”を取得する。運転履歴記憶部（67）は、取得した“輸送用コンテナ（5）の庫内温度に関するデータログ”を、そのデータログの取得先である冷凍機（10）と関連づけて記憶する。
【０１５４】
−管理者端末機の動作−
管理者端末機（32）の動作について、図８のフロー図を参照しながら説明する。
【０１５５】
〈ステップＳＴ１１〉
管理者端末機（32）の使用者によってアプリケーションプログラム（33）の実行指示が入力されると、ステップＳＴ１１において、管理者端末機（32）がアプリケーションプログラム（33）の実行を開始する。
【０１５６】
〈ステップＳＴ１２〉
次のステップＳＴ１２において、管理者端末機（32）は、図９に示すＧＰＳ情報取得画面（100）をディスプレイ（34）に表示する。また、管理者端末機（32）では、位置情報取得部（51）が“管理者端末機（32）の位置情報”を取得する。具体的に、位置情報取得部（51）は、ＧＰＳ衛星から受信した情報を利用して、管理者端末機（32）の位置を特定する。位置情報取得部（51）による“管理者端末機（32）の位置情報”の取得が完了するまでの間、ディスプレイ（34）にはＧＰＳ情報取得画面（100）が表示され続ける。
【０１５７】
位置情報取得部（51）が“管理者端末機（32）の位置情報”を取得すると、位置判定部（53）が位置判定処理を行う。そして、“管理者端末機（32）の位置”が許可エリア（90）の内側であると位置判定部（53）が判断した場合、管理者端末機（32）は、次のステップＳＴ１３へ移行する。一方、“管理者端末機（32）の位置”が許可エリア（90）の外側であると位置判定部（53）が判断した場合、管理者端末機（32）は、アプリケーションプログラム（33）の実行を終了する。
【０１５８】
〈ステップＳＴ１３〉
次のステップＳＴ１３において、管理者端末機（32）は、使用者識別部（54）が使用者識別情報要求処理を行う。具体的に、使用者識別部（54）は、図１０に示すパスワード入力画面（105）をディスプレイ（34）に表示し、管理者端末機（32）の使用者に対して、パスワード（使用者識別情報）の入力を促す。また、使用者識別部（54）は、メモリーユニット（60）の使用者識別情報記憶部（64）が記憶するパスワード（登録済みパスワード）を読み出す。
【０１５９】
管理者端末機（32）の使用者が管理者端末機（32）にパスワードを入力すると、使用者識別部（54）は、使用者が入力したパスワード（入力パスワード）を、登録済みパスワードと対比する。そして、入力パスワードが登録済みパスワードと一致した場合に限り、使用者識別部（54）は、アプリケーションプログラム（33）の実行継続を許可する。つまり、管理者端末機（32）は、入力パスワードが登録済みパスワードと一致した場合にだけステップＳＴ１３からステップＳＴ１４へ移行し、それ以外の場合はステップＳＴ１３に留まる。
【０１６０】
〈ステップＳＴ１４〉
ステップＳＴ１４において、管理者端末機（32）は、図１１に示すトレーラ選択画面（110）をディスプレイ（34）に表示する。このトレーラ選択画面は、管理者端末機（32）の使用者が、管理者端末機（32）が無線通信を行う無線ＬＡＮアダプタ（31）を特定するための画面である。
【０１６１】
図１１に示すように、トレーラ選択画面（110）には、複数のトレーラ表示領域（111）と、一つの接続ボタン（113）とが設けられる。各トレーラ表示領域（111）には、各トレーラ（2）に対応する冷凍機（10）の冷凍機識別情報が表示される。つまり、各トレーラ表示領域（111）には、対応するトレーラ（2）の車両登録情報と、対応するトレーラ（2）に取り付けられた輸送用コンテナ（5）のコンテナ識別記号とが表示される。また、各トレーラ表示領域（111）には、チェックボックス（112）が一つずつ表示される。
【０１６２】
管理者端末機（32）の使用者が、選択しようとするトレーラ（2）に関する冷凍機識別情報が表示されたトレーラ表示領域（111）のチェックボックス（112）にチェックマークを入れて接続ボタン（113）をタップすると、管理者端末機（32）は、次のステップＳＴ１５に移行する。
【０１６３】
〈ステップＳＴ１５〉
ステップＳＴ１５では、管理者端末機（32）の通信ユニット（68）が、管理者端末機（32）の使用者によって選択されたトレーラ（2）に対応する冷凍機（10）に設けられた無線ＬＡＮアダプタ（31）との無線通信を開始する。その際、管理者端末機（32）では、演算処理ユニット（50）が、メモリーユニット（60）の通信用情報記憶部（63）から、管理者端末機（32）の使用者によって選択されたトレーラ（2）に対応する無線ＬＡＮアダプタ（31）に関するＳＳＩＤおよび暗号化キーを読み出す。そして、演算処理ユニット（50）は、通信用情報記憶部（63）から読み出したＳＳＩＤおよび暗号化キーを用いて、通信ユニット（68）に無線ＬＡＮアダプタ（31）との無線通信を開始させる。
【０１６４】
〈ステップＳＴ１６〉
次のステップＳＴ１６では、管理者端末機（32）の運転情報取得部（57）が、運転情報取得処理を行う。
【０１６５】
運転情報取得処理において、運転情報取得部（57）は、ステップＳＴ１５において無線通信を開始した無線ＬＡＮアダプタ（31）から、その無線ＬＡＮアダプタ（31）に対応する冷凍機（10）の運転情報を取得する。具体的に、運転情報取得部（57）は、ステップＳＴ１５において無線通信を開始した無線ＬＡＮアダプタ（31）に対応する冷凍機（10）の制御器（11）が記憶する設定温度と、その冷凍機（10）が取り付けられた輸送用コンテナ（5）の庫内温度の測定値とを、運転情報として取得する。
【０１６６】
運転情報取得部（57）は、取得した運転情報を、メモリーユニット（60）の運転情報記憶部（66）に記録する。
【０１６７】
〈ステップＳＴ１７〉
次のステップＳＴ１７において、管理者端末機（32）は、図１２に示すモニター画面（120）をディスプレイ（34）に表示する。
【０１６８】
図１２に示すように、モニター画面（120）には、トレーラ表示領域（121）と、運転情報表示領域（122）と、アラーム表示領域（123）とが設けられる。また、モニター画面（120）には、設定温度変更ボタン（124）が表示されると共に、冷凍機停止ボタン（125）と冷凍機起動ボタン（126）の一方が選択的に表示される。
【０１６９】
トレーラ表示領域（121）には、トレーラ選択画面（110）において管理者端末機（32）の使用者が選択したトレーラ（2）に対応する冷凍機（10）の冷凍機識別情報が表示される。つまり、トレーラ表示領域（121）には、トレーラ選択画面（110）において管理者端末機（32）の使用者が選択したトレーラ（2）の車両登録情報と、そのトレーラ（2）に取り付けられた輸送用コンテナ（5）のコンテナ識別記号とが表示される。
【０１７０】
運転情報表示領域（122）には、トレーラ選択画面（110）において管理者端末機（32）の使用者が選択したトレーラ（2）に対応する冷凍機（10）の運転情報が表示される。つまり、運転情報表示領域（122）には、トレーラ選択画面（110）において管理者端末機（32）の使用者が選択したトレーラ（2）に対応する冷凍機（10）の制御器（11）が記憶する設定温度と、その冷凍機（10）が取り付けられた輸送用コンテナ（5）の庫内温度の測定値とが表示される。
【０１７１】
アラーム表示領域（123）には、冷凍機（10）の運転状態について管理者端末機（32）の使用者に報知することが必要な情報（警告情報）が表示される。この警告情報としては、例えば、冷凍機（10）が停止中である旨の表示、輸送用コンテナ（5）の庫内温度が設定範囲（例えば、設定温度±０．５℃の範囲）を外れている旨の表示などが挙げられる。
【０１７２】
図１３は、アラーム表示領域（123）に“冷凍機（10）が停止中である旨の表示”が表示されているモニター画面（120）を示す。この場合、このモニター画面（120）には、冷凍機停止ボタン（125）に代えて、冷凍機起動ボタン（126）が表示される。
【０１７３】
管理者端末機（32）の使用者が設定温度変更ボタン（124）をタップすると、管理者端末機（32）は、設定温度の変更値の入力を受け付ける状態となる。管理者端末機（32）の使用者によって設定温度の変更値が入力されると、管理者端末機（32）の操作指令部（55）は、入力された設定温度の変更値を、“冷凍機（10）を操作するための操作指令”として無線ＬＡＮアダプタ（31）に送信する。その際、操作指令部（55）は、“トレーラ選択画面（110）において管理者端末機（32）の使用者が選択したトレーラ（2）”に取り付けられた冷凍機（10）に対応する無線ＬＡＮアダプタ（31）に対して、操作指令を送信する。
【０１７４】
無線ＬＡＮアダプタ（31）の操作指令伝送部（42）は、管理者端末機（32）から受信した操作指令を、その無線ＬＡＮアダプタ（31）に対応する冷凍機（10）の制御器（11）へ送信する。
【０１７５】
無線ＬＡＮアダプタ（31）から操作指令を受信した冷凍機（10）の制御器（11）は、操作指令として受信した“設定温度の変更値”を、更新後の設定温度としてメモリーユニット（16）の設定温度記憶部（17）に記録する。そして、制御器（11）は、冷凍機（10）が取り付けられた輸送用コンテナ（5）の庫内温度の測定値が、設定温度記憶部（17）に記録された“更新後の設定温度”となるように、冷凍機（10）の運転を制御する。
【０１７６】
管理者端末機（32）の使用者が冷凍機停止ボタン（125）をタップすると、管理者端末機（32）は、冷凍機を停止させるための信号（停止信号）を、“冷凍機（10）を操作するための操作指令”として無線ＬＡＮアダプタ（31）に送信する。また、管理者端末機（32）の使用者が冷凍機起動ボタン（126）をタップすると、管理者端末機（32）は、冷凍機を起動させるための信号（起動信号）を、“冷凍機（10）を操作するための操作指令”として無線ＬＡＮアダプタ（31）に送信する。
【０１７７】
無線ＬＡＮアダプタ（31）の操作指令伝送部（42）は、管理者端末機（32）から受信した操作指令を、その無線ＬＡＮアダプタ（31）に対応する冷凍機（10）の制御器（11）へ送信する。
【０１７８】
冷凍機（10）の制御器（11）は、無線ＬＡＮアダプタ（31）から停止信号を操作指令として受信した場合、冷凍機（10）を停止させる。また、冷凍機（10）の制御器（11）は、無線ＬＡＮアダプタ（31）から起動信号を操作指令として受信した場合、冷凍機（10）を起動させる。
【０１７９】
〈ステップＳＴ１８〉
管理者端末機（32）は、ステップＳＴ１７とステップＳＴ１８とステップＳＴ１９の間を相互に移行できる。ステップＳＴ１８において、管理者端末機（32）は、図１４に示す運転履歴取得画面（130）をディスプレイ（34）に表示する。
【０１８０】
図１４に示すように、運転履歴取得画面（130）には、トレーラ表示領域（121）と、運転履歴選択領域（131）とが設けられる。また、運転履歴取得画面（130）には、運転履歴取得ボタン（132）が表示される。
【０１８１】
トレーラ表示領域（121）には、モニター画面（120）と同様に、トレーラ選択画面（110）において管理者端末機（32）の使用者が選択したトレーラ（2）に対応する冷凍機（10）の冷凍機識別情報が表示される。運転履歴選択領域（131）には、取得する運転履歴の対象となる期間を選択するための選択肢が表示される。
【０１８２】
管理者端末機（32）の使用者が、運転履歴選択領域（131）において“運転履歴の対象期間”を選択して運転履歴取得ボタン（132）をタップすると、運転履歴取得部（59）が所定の処理を行う。つまり、運転履歴取得部（59）は、運転履歴選択領域（131）において選択された“運転履歴の対象期間”における冷凍機（10）の運転履歴を、“トレーラ選択画面（110）において管理者端末機（32）の使用者が選択したトレーラ（2）”に対応する冷凍機（10）の制御器（11）から取得する。運転履歴取得部（59）は、取得した冷凍機（10）の運転履歴を、メモリーユニット（60）の運転履歴記憶部（67）に記録する。
【０１８３】
〈ステップＳＴ１９〉
ステップＳＴ１９において、管理者端末機（32）は、図１５に示すドライバー認証画面（135）をディスプレイ（34）に表示する。ドライバー認証画面（135）は、ドライバー端末機（35）に許可情報（95）を与えるための画面である。
【０１８４】
図１５に示すように、ドライバー認証画面（135）には、トレーラ表示領域（121）と、許可情報表示領域（136）とが設けられる。また、ドライバー認証画面（135）には、トレーラ選択ボタン（137）が表示される。
【０１８５】
トレーラ表示領域（121）には、モニター画面（120）と同様に、“トレーラ選択画面（110）において管理者端末機（32）の使用者が選択したトレーラ（2）”に対応する冷凍機（10）の冷凍機識別情報が表示される。許可情報表示領域（136）には、許可付与部（56）によって作成されてＱＲコードに変換された許可情報（95）が表示される。
【０１８６】
管理者端末機（32）の使用者がトレーラ選択ボタン（137）をタップすると、管理者端末機（32）は、ステップＳＴ１４に戻って処理を継続する。
【０１８７】
−ドライバー端末機の構成−
図７に示すように、ドライバー端末機（35）は、演算処理ユニット（70）と、メモリーユニット（80）と、通信ユニット（85）とを備える。ドライバー端末機（35）は、そのドライバー端末機（35）に対応する一つの無線ＬＡＮアダプタ（31）と無線通信を行う。
【０１８８】
演算処理ユニット（70）は、例えば集積回路から成るマイクロプロセッサである。演算処理ユニット（70）は、管理者端末機（32）にインストールされたアプリケーションプログラム（36）を実行することによって、許可取得部（71）、許可期間設定部（72）、許可期間判定部（73）、操作指令部（74）、運転情報取得部（75）、及び情報表示部（76）として機能する。
【０１８９】
メモリーユニット（80）は、例えば集積回路から成る半導体メモリーである。メモリーユニット（80）には、ドライバー端末機（35）にインストールされたアプリケーションプログラム（36）が記録される。また、メモリーユニット（80）は、許可情報記憶部（81）、許可期間記憶部（82）、運転情報記憶部（83）、及び冷凍機識別情報記憶部（84）として機能する。
【０１９０】
通信ユニット（68）は、無線ＬＡＮアダプタ（31）と無線通信を行う通信モジュールである。通信ユニット（68）は、メモリーユニット（60）が記憶するＳＳＩＤを有する無線ＬＡＮアダプタ（31）（即ち、ドライバー端末機（35）に対応する一つの無線ＬＡＮアダプタ（31））だけと無線通信を行う。
【０１９１】
〈許可取得部〉
許可取得部（71）は、管理者端末機（32）から許可情報を取得するための許可取得処理を行う。
【０１９２】
上述したように、管理者端末機（32）の許可付与部（56）は、ＱＲコードに変換した許可情報（95）を、管理者端末機（32）のディスプレイ（34）に表示させる。許可取得部（71）は、管理者端末機（32）のディスプレイ（34）に表示された許可情報（95）を読み取って取得する処理を、許可取得処理として行う。
【０１９３】
具体的に、許可取得部（71）は、ドライバー端末機（35）のカメラユニット（38）を起動させ、ドライバー端末機（35）の使用者に対して、管理者端末機（32）のディスプレイ（34）に表示されたＱＲコード（許可情報（95））の読み取りを促す。ドライバー端末機（35）の使用者が、ドライバー端末機（35）のカメラユニット（38）のレンズ部を管理者端末機（32）のディスプレイ（34）にかざすと、カメラユニット（38）の撮像素子が、管理者端末機（32）に表示されたＱＲコードを撮像する。そして、許可取得部（71）は、カメラユニット（38）から取得したＱＲコードを復号することによって、許可情報（95）を取得する。
【０１９４】
上述したように、許可情報（95）は、通信用情報であるＳＳＩＤ及び暗号化キーと、管理者端末機（32）が許可情報（95）を作成する処理を行った時刻とを、所定の順番で並べた情報である。許可取得部（71）は、取得した許可情報（95）を、メモリーユニット（80）の許可情報記憶部（81）に記録する。
【０１９５】
〈許可期間設定部〉
許可期間設定部（72）は、ドライバー端末機（35）が無線ＬＡＮアダプタ（31）と通信できる許可期間を設定する。本実施形態の許可期間設定部（72）は、ドライバー端末機（35）が許可情報（95）を取得した時刻から２４時間を、許可期間とする。なお、本実施形態に示す許可期間の長さ（２４時間）は、単なる一例である。
【０１９６】
具体的に、許可期間設定部（72）は、許可取得部（71）が許可情報（95）を取得した時刻を、許可期間の開始時刻としてメモリーユニット（80）の許可期間記憶部（82）に記録する。また、許可期間設定部（72）は、許可期間の開始時刻から２４時間経過後の時刻を、許可期間の終了時刻としてメモリーユニット（80）の許可期間記憶部（82）に記録する。
【０１９７】
〈許可期間判定部〉
許可期間判定部（73）は、期間制限処理を行う。期間制限処理は、ドライバー端末機（35）と無線ＬＡＮアダプタ（31）の間の無線通信を許可期間内にだけ認める処理である。
【０１９８】
具体的に、許可期間判定部（73）は、現在時刻を取得する。また、許可期間判定部（73）は、メモリーユニット（80）の許可期間記憶部（82）から、許可期間の終了時刻を読み出す。そして、許可期間判定部（73）は、現在時刻を“許可期間の終了時刻”と比較する。許可期間判定部（73）は、現在時刻が“許可期間の終了時刻”よりも前であると判断した場合、ドライバー端末機（35）にアプリケーションプログラム（36）の実行を継続させる。一方、許可期間判定部（73）は、現在時刻が“許可期間の終了時刻”よりも後であると判断した場合、ドライバー端末機（35）によるアプリケーションプログラム（36）の実行を終了させる。
【０１９９】
〈操作指令部〉
操作指令部（74）は、送信処理を行う。つまり、操作指令部（74）は、“冷凍機（10）を操作するための操作指令”をドライバー端末機（35）の使用者が入力した場合に、入力された操作指令を無線ＬＡＮアダプタ（31）に送信する。この操作指令部（74）は、ドライバー端末機（35）が通信可能な一つの無線ＬＡＮアダプタ（31）に対し、その無線ＬＡＮアダプタ（31）に対応する冷凍機（10）についての操作指令を送信する。
【０２００】
操作指令部（74）は、冷凍機（10）の制御器（11）が記憶する設定温度を変更する指令を、操作指令として無線ＬＡＮアダプタ（31）に送信できる。管理者端末機（32）の操作指令部（55）とは異なり、ドライバー端末機（35）の操作指令部（74）は、冷凍機（10）を起動させる指令と、冷凍機（10）を停止させる指令とを、無線ＬＡＮアダプタ（31）に送信できない。
【０２０１】
〈運転情報取得部〉
運転情報取得部（75）は、運転情報取得処理を行う。この運転情報取得部（75）は、ドライバー端末機（35）が通信可能な一つの無線ＬＡＮアダプタ（31）から、その無線ＬＡＮアダプタ（31）に対応する冷凍機（10）の運転情報を取得する。
【０２０２】
具体的に、運転情報取得部（75）は、無線ＬＡＮアダプタ（31）の運転情報伝送部（43）を介して、その無線ＬＡＮアダプタ（31）に対応する冷凍機（10）から、その冷凍機（10）の制御器（11）が記憶する設定温度と、その冷凍機（10）が取り付けられた輸送用コンテナ（5）の庫内温度の測定値とを、運転情報として取得する。運転情報取得部（75）は、取得した運転情報を、メモリーユニット（80）の運転情報記憶部（83）に記録する。
【０２０３】
運転情報取得部（75）は、所定の時間（例えば、１分間）が経過する毎に、冷凍機（10）に関する運転情報を取得する。運転情報取得部（75）は、運転情報を取得する毎に、運転情報記憶部（83）に記録された運転情報を更新する。
【０２０４】
〈情報表示部〉
情報表示部（76）は、識別情報表示処理を行う。情報表示部（76）は、メモリーユニット（80）の冷凍機識別情報記憶部（84）に記録された冷凍機（10）の冷凍機識別情報を、ドライバー端末機（35）のディスプレイ（37）に表示する。
【０２０５】
また、情報表示部（76）は、運転情報表示処理を行う。情報表示部（76）は、メモリーユニット（80）の運転情報記憶部（83）に記録された冷凍機（10）の運転情報を、ドライバー端末機（35）のディスプレイ（37）に表示する。
【０２０６】
〈許可情報記憶部〉
許可情報記憶部（81）は、許可取得部（71）が取得した許可情報（95）を記憶する。具体的に、許可情報記憶部（81）は、ドライバー端末機（35）が通信可能な無線ＬＡＮアダプタ（31）に関する通信用情報であるＳＳＩＤおよび暗号化キーと、管理者端末機（32）が許可情報（95）を作成する処理を行った時刻とを記憶する。許可情報記憶部（81）が記憶する通信用情報は、ドライバー端末機（35）が通信可能な一つの無線ＬＡＮアダプタ（31）を特定するための情報である。
【０２０７】
〈許可期間記憶部〉
許可期間記憶部（82）は、許可期間設定部（72）によって設定された許可期間を記憶する。具体的に、許可期間記憶部（82）は、許可期間設定部（72）が設定した許可期間の開始時刻と終了時刻とを記憶する。
【０２０８】
〈運転情報記憶部〉
運転情報記憶部（83）は、運転情報取得部（75）が取得した冷凍機（10）の運転情報を記憶する。具体的に、運転情報記憶部（83）は、ドライバー端末機（35）が通信可能な無線ＬＡＮアダプタ（31）に対応する冷凍機（10）に関する設定温度と、その冷凍機（10）が取り付けられた輸送用コンテナ（5）の庫内温度の測定値とを、運転情報として記憶する。上述したように、運転情報記憶部（83）に記録された“冷凍機（10）の運転情報”は、運転情報記憶部（83）が“冷凍機（10）の運転情報”を取得する毎に、最新の“冷凍機（10）の運転情報”に更新される。
【０２０９】
〈冷凍機識別情報記憶部〉
冷凍機識別情報記憶部（84）は、ドライバー端末機（35）が通信可能な無線ＬＡＮアダプタ（31）に対応する冷凍機（10）の冷凍機識別情報を記憶する。
【０２１０】
ここで、ドライバー端末機（35）の演算処理ユニット（70）は、冷凍機情報取得処理を行う。具体的に、この演算処理ユニット（70）は、対応する無線ＬＡＮアダプタ（31）のメモリーユニット（45）の冷凍機識別情報記憶部（46）から、その無線ＬＡＮアダプタ（31）に対応する冷凍機（10）が取り付けられた輸送用コンテナ（5）に付与されたコンテナ識別記号と、その輸送用コンテナ（5）が取り付けられたトレーラ（2）に付与された車両登録情報とを取得する。
【０２１１】
冷凍機識別情報記憶部（84）は、演算処理ユニット（70）の冷凍機情報取得処理によって取得されたコンテナ識別記号および車両登録情報を記憶する。
【０２１２】
−ドライバー端末機の動作−
ドライバー端末機（35）の動作について、図１６のフロー図を参照しながら説明する。
【０２１３】
〈ステップＳＴ２１〉
ドライバー端末機（35）の使用者によってアプリケーションプログラム（36）の実行指示が入力されると、ステップＳＴ２１において、ドライバー端末機（35）がアプリケーションプログラム（36）の実行を開始する。
【０２１４】
ドライバー端末機（35）がアプリケーションプログラム（36）の実行を開始すると、まず最初に、許可期間判定部（73）が期間制限処理を行う。現在時刻が“許可期間の終了時刻”よりも前であると許可期間判定部（73）が判断した場合、ドライバー端末機（35）は、ステップＳＴ２２へ移行する。一方、現在時刻が“許可期間の終了時刻”よりも後であると許可期間判定部（73）が判断した場合、ドライバー端末機（35）は、アプリケーションプログラム（36）の実行を終了する。
【０２１５】
〈ステップＳＴ２２〉
次のステップＳＴ２２において、ドライバー端末機（35）は、管理者端末機（32）から許可情報（95）を取得しているか否かを判断する。許可情報（95）を既に取得している場合、ドライバー端末機（35）は、ステップＳＴ２３へ移行する。一方、許可情報（95）を未だ取得していない場合、ドライバー端末機（35）は、ステップＳＴ２４へ移行する。
【０２１６】
〈ステップＳＴ２３〉
ステップＳＴ２３において、ドライバー端末機（35）の演算処理ユニット（70）は、メモリーユニット（80）の許可情報記憶部（81）が記憶する許可情報（95）を読み出す。つまり、この演算処理ユニット（70）は、ドライバー端末機（35）が通信可能な無線ＬＡＮアダプタ（31）に関する通信用情報であるＳＳＩＤおよび暗号化キーを、許可情報記憶部（81）から取得する。その後、ドライバー端末機（35）は、ステップＳＴ２６へ移行する。
【０２１７】
〈ステップＳＴ２４〉
ステップＳＴ２４において、ドライバー端末機（35）は、カメラユニット（38）を起動させ、図１７に示す許可情報取得画面（140）をディスプレイ（37）に表示する。許可情報取得画面（140）は、ドライバー端末機（35）のカメラユニット（38）が撮像している画像に、矩形状の読み取り枠（141）を重ねて表示した画面である。ドライバー端末機（35）の使用者が、管理者端末機（32）のディスプレイ（34）をドライバー端末機（35）のカメラユニット（38）で撮影し、管理者端末機（32）のディスプレイ（34）に表示されたＱＲコードが読み取り枠（141）の内側に入ると、許可取得部（71）がＱＲコードを読み込む。
【０２１８】
〈ステップＳＴ２５〉
次のステップＳＴ２５において、許可取得部（71）は、ステップＳＴ２４において読み込んだＱＲコードを復号することによって、許可情報（95）を取得する。上述したように、この許可情報（95）には、ドライバー端末機（35）が通信可能な無線ＬＡＮアダプタ（31）に関する通信用情報であるＳＳＩＤおよび暗号化キーが含まれる。許可取得部（71）は、取得した許可情報（95）を、メモリーユニット（80）の許可情報記憶部（81）に記録する。その後、ドライバー端末機（35）は、ステップＳＴ２６へ移行する。
【０２１９】
〈ステップＳＴ２６〉
ステップＳＴ２６では、ドライバー端末機（35）の通信ユニット（85）が、そのドライバー端末機（35）が取得した許可情報（95）によって特定された無線ＬＡＮアダプタ（31）との無線通信を開始する。つまり、ドライバー端末機（35）では、演算処理ユニット（70）が、許可情報記憶部（81）から読み出したＳＳＩＤおよび暗号化キーを用いて、通信ユニット（85）に無線ＬＡＮアダプタ（31）との無線通信を開始させる。
【０２２０】
無線ＬＡＮアダプタ（31）との無線通信を開始したドライバー端末機（35）では、演算処理ユニット（70）が冷凍機情報取得処理を行う。つまり、演算処理ユニット（70）は、対応する無線ＬＡＮアダプタ（31）から、その無線ＬＡＮアダプタ（31）に対応する冷凍機（10）が取り付けられた輸送用コンテナ（5）に付与されたコンテナ識別記号と、その輸送用コンテナ（5）が取り付けられたトレーラ（2）に付与された車両登録情報とを取得する。
【０２２１】
〈ステップＳＴ２７〉
次のステップＳＴ２７では、ドライバー端末機（35）の運転情報取得部（75）が、運転情報取得処理を行う。
【０２２２】
運転情報取得処理において、運転情報取得部（75）は、ステップＳＴ２６において無線通信を開始した無線ＬＡＮアダプタ（31）から、その無線ＬＡＮアダプタ（31）に対応する冷凍機（10）の運転情報を取得する。具体的に、運転情報取得部（75）は、ステップＳＴ２６において無線通信を開始した無線ＬＡＮアダプタ（31）に対応する冷凍機（10）の制御器（11）が記憶する設定温度と、その冷凍機（10）が取り付けられた輸送用コンテナ（5）の庫内温度の測定値とを、運転情報として取得する。
【０２２３】
運転情報取得部（75）は、取得した運転情報を、メモリーユニット（80）の運転情報記憶部（83）に記録する。
【０２２４】
〈ステップＳＴ２８〉
ステップＳＴ２８において、ドライバー端末機（35）は、演算処理ユニット（70）が冷凍機識別情報表示処理と運転情報表示処理とを行う。そして、ドライバー端末機（35）は、図１８に示すモニター画面（150）をディスプレイ（37）に表示する。
【０２２５】
図１８に示すように、モニター画面（150）には、トレーラ表示領域（151）と、運転情報表示領域（152）と、アラーム表示領域（153）とが設けられる。また、モニター画面（150）には、設定温度変更ボタン（154）が表示される。管理者端末機（32）のモニター画面（120）とは異なり、ドライバー端末機（35）のモニター画面（150）には、冷凍機停止ボタン（125）と冷凍機起動ボタン（126）のどちらも表示されない。
【０２２６】
トレーラ表示領域（151）には、ドライバー端末機（35）が通信可能な無線ＬＡＮアダプタ（31）に対応する冷凍機（10）の冷凍機識別情報が表示される。つまり、トレーラ表示領域（151）には、ドライバー端末機（35）に対応する冷凍機（10）が設けられた輸送用コンテナ（5）のコンテナ識別記号と、その輸送用コンテナ（5）が取り付けられたトレーラ（2）の車両登録情報とが表示される。この冷凍機識別情報は、ドライバー端末機（35）の演算処理ユニット（70）が冷凍機識別情報表示処理を行うことによって、トレーラ表示領域（151）に表示される。
【０２２７】
運転情報表示領域（152）には、ドライバー端末機（35）が通信可能な無線ＬＡＮアダプタ（31）に対応する冷凍機（10）の運転情報が表示される。つまり、運転情報表示領域（152）には、ドライバー端末機（35）が通信可能な無線ＬＡＮアダプタ（31）に対応する冷凍機（10）の制御器（11）が記憶する設定温度と、その冷凍機（10）が取り付けられた輸送用コンテナ（5）の庫内温度の測定値とが表示される。この運転情報は、ドライバー端末機（35）の演算処理ユニット（70）が運転情報表示処理を行うことによって、運転情報表示領域（152）に表示される。
【０２２８】
アラーム表示領域（153）には、冷凍機（10）の運転状態について管理者端末機（32）の使用者に報知することが必要な情報（警告情報）が表示される。この警告情報としては、例えば、冷凍機（10）が停止中である旨の表示、輸送用コンテナ（5）の庫内温度が設定範囲（例えば、設定温度±０．５℃の範囲）を外れている旨の表示などが挙げられる。
【０２２９】
ドライバー端末機（35）の使用者が設定温度変更ボタン（154）をタップすると、ドライバー端末機（35）は、設定温度の変更値の入力を受け付ける状態となる。ドライバー端末機（35）の使用者によって設定温度の変更値が入力されると、ドライバー端末機（35）の操作指令部（74）は、入力された設定温度の変更値を、“冷凍機（10）を操作するための操作指令”として無線ＬＡＮアダプタ（31）に送信する。
【０２３０】
無線ＬＡＮアダプタ（31）の操作指令伝送部（42）は、ドライバー端末機（35）から受信した操作指令を、その無線ＬＡＮアダプタ（31）に対応する冷凍機（10）の制御器（11）へ送信する。
【０２３１】
無線ＬＡＮアダプタ（31）から操作指令を受信した冷凍機（10）の制御器（11）は、操作指令として受信した“設定温度の変更値”を、更新後の設定温度としてメモリーユニット（16）の設定温度記憶部（17）に記録する。そして、制御器（11）は、冷凍機（10）が取り付けられた輸送用コンテナ（5）の庫内温度の測定値が、設定温度記憶部（17）に記録された“更新後の設定温度”となるように、冷凍機（10）の運転を制御する。
【０２３２】
−実施形態の特徴（１）−
本実施形態の管理システム（30）は、複数の輸送用コンテナ（5）に一つずつ取り付けられた冷凍機（10）を管理する管理システム（30）であって、各冷凍機（10）に一つずつ設けられる無線ＬＡＮアダプタ（31）と、それぞれが無線ＬＡＮアダプタ（31）と無線通信する管理者端末機（32）及びドライバー端末機（35）とを備える。管理者端末機（32）及びドライバー端末機（35）のそれぞれは、無線ＬＡＮアダプタ（31）に対して、その無線ＬＡＮアダプタ（31）に対応した冷凍機（10）を操作するための操作指令を送信できるように構成される。無線ＬＡＮアダプタ（31）は、その無線ＬＡＮアダプタ（31）に対応する冷凍機（10）の制御器（11）に、受信した操作指令を伝送するように構成される。管理者端末機（32）は、予め設定された許可エリア（90）の内側だけにおいて、複数の無線ＬＡＮアダプタ（31）に対して操作指令を送信できるように構成される。ドライバー端末機（35）は、許可エリア（90）の内側と外側の両方において、そのドライバー端末機（35）に対応する一つの無線ＬＡＮアダプタ（31）だけに対して操作指令を送信できるように構成される。
【０２３３】
本実施形態の管理システム（30）によって行われる管理方法は、複数の輸送用コンテナ（5）に一つずつ取り付けられた冷凍機（10）を、各冷凍機（10）に一つずつ設けられる無線ＬＡＮアダプタ（31）と、無線ＬＡＮアダプタ（31）と無線通信する管理者端末機（32）及びドライバー端末機（35）とを用いて管理する管理方法である。この管理方法では、管理者端末機（32）及びドライバー端末機（35）のそれぞれに、無線ＬＡＮアダプタ（31）に対して、その無線ＬＡＮアダプタ（31）に対応した冷凍機（10）を操作するための操作指令を送信させる。また、この管理方法では、無線ＬＡＮアダプタ（31）に、受信した操作指令を、無線ＬＡＮアダプタ（31）に対応する冷凍機（10）の制御器（11）に伝送させる。この管理方法において、管理者端末機（32）には、予め設定された許可エリア（90）の内側だけにおいて、複数の無線ＬＡＮアダプタ（31）に対する上記操作指令の送信が認められる。また、この管理方法において、ドライバー端末機（35）には、許可エリア（90）の内側と外側の両方において、そのドライバー端末機（35）に対応する一つの無線ＬＡＮアダプタ（31）だけに対する操作指令の送信が認められる。
【０２３４】
本実施形態の管理システム（30）及び管理方法において、管理者端末機（32）とドライバー端末機（35）は、操作指令を送信できる対象と、操作指令を送信するための条件とが、互いに異なる。
【０２３５】
本実施形態の管理システム（30）及び管理方法において、管理者端末機（32）は、複数の無線ＬＡＮアダプタ（31）に対して操作指令を送信できるが、操作指令を送信できるエリアが許可エリア（90）の内側に制限される。つまり、複数の冷凍機（10）を操作可能な管理者端末機（32）については、操作指令を送信できるエリアが制限される。このため、冷凍機（10）の管理に従事する当事者以外の第三者が管理者端末機（32）を入手した場合でも、その第三者が入手した管理者端末機（32）を使って冷凍機（10）を操作する可能性を低減でき、管理システム（30）のセキュリティを高めることができる。
【０２３６】
また、本実施形態の管理システム（30）及び管理方法において、ドライバー端末機（35）は、対応する一つの無線ＬＡＮアダプタ（31）に対してしか操作指令を送信できないが、操作指令を送信できるエリアは制限されない。つまり、操作指令を送信できるエリアが制限されないドライバー端末機（35）については、操作できる冷凍機（10）が一台だけに制限される。このため、冷凍機（10）の管理に従事する当事者以外の第三者がドライバー端末機（35）を入手した場合でも、その第三者が入手したドライバー端末機（35）を使って操作できる冷凍機（10）を、第三者が入手したドライバー端末機（35）に対応する一台の冷凍機（10）だけに限定することができる。このため、第三者によって操作される冷凍機（10）の台数を制限でき、管理システム（30）のセキュリティを高めることができる。
【０２３７】
−実施形態の特徴（２）−
本実施形態の管理システム（30）において、管理者端末機（32）は、操作指令の送信を許可する許可情報（95）をドライバー端末機（35）に与えるための許可動作を実行するように構成される。また、ドライバー端末機（35）は、管理者端末機（32）から許可情報（95）を取得した後にだけ、操作指令を無線ＬＡＮアダプタ（31）へ送信できるように構成される。
【０２３８】
本実施形態の管理システム（30）によって行われる管理方法は、管理者端末機（32）に、操作指令の送信を許可する許可情報（95）をドライバー端末機（35）に与えるための許可動作を実行させる。また、この管理方法は、管理者端末機（32）から許可情報（95）を取得したドライバー端末機（35）にだけ、無線ＬＡＮアダプタ（31）に対する操作指令の送信を認める。
【０２３９】
本実施形態の管理システム（30）及び管理方法において、ドライバー端末機（35）は、管理者端末機（32）から許可情報（95）を取得した後でなければ、操作指令を無線ＬＡＮアダプタ（31）に送信できない。従って、本実施形態の管理システム（30）によれば、ドライバー端末機（35）が操作指令を無線ＬＡＮアダプタ（31）に送信するための条件が厳しくなり、管理システム（30）のセキュリティが更に高まる。
【０２４０】
−実施形態の特徴（３）−
本実施形態の管理システム（30）において、管理者端末機（32）は、許可情報（95）を表示する動作を、許可動作として実行するように構成される。また、ドライバー端末機（35）は、管理者端末機（32）に表示された許可情報（95）を読み取って取得するように構成される。
【０２４１】
本実施形態の管理システム（30）によって行われる管理方法は、管理者端末機（32）に、許可情報（95）を表示する動作を許可動作として実行させ、ドライバー端末機（35）に、管理者端末機（32）に表示された許可情報（95）を読み取らせて取得させる。
【０２４２】
本実施形態の管理システム（30）及び管理方法において、ドライバー端末機（35）は、管理者端末機（32）に表示された許可情報（95）を読み取ることによって、管理者端末機（32）から許可情報（95）を取得する。管理者端末機（32）に表示された許可情報（95）をドライバー端末機（35）に読み取らせるには、ドライバー端末機（35）の使用者が管理者端末機（32）の使用者と面会する必要がある。従って、本実施形態によれば、管理者端末機（32）の使用者がドライバー端末機（35）の使用者を見て確認することが可能となり、管理システム（30）のセキュリティが更に高まる。
【０２４３】
−実施形態の特徴（４）−
本実施形態の管理システム（30）において、管理者端末機（32）は、許可情報（95）をマトリックス型二次元コードに変換して表示するように構成される。また、本実施形態の管理システム（30）によって行われる管理方法は、管理者端末機（32）に、許可情報（95）をマトリックス型二次元コードに変換させて表示させる。本実施形態の管理者端末機（32）は、マトリックス型二次元コードに変換した許可情報（95）を表示する。
【０２４４】
−実施形態の特徴（５）−
本実施形態の管理システム（30）において、管理者端末機（32）は、“許可情報（95）を取得したドライバー端末機（35）が操作指令を送信できる一つの無線ＬＡＮアダプタ（31）”を特定するための通信用情報を、許可情報（95）に含めるように構成される。
【０２４５】
本実施形態の管理システム（30）によって行われる管理方法は、管理者端末機（32）に、“許可情報（95）を取得したドライバー端末機（35）が操作指令を送信できる一つの無線ＬＡＮアダプタ（31）”を特定するための通信用情報を、許可情報（95）に含めさせる。
【０２４６】
本実施形態の管理システム（30）及び管理方法において、管理者端末機（32）は、ドライバー端末機（35）に与える許可情報（95）に、通信用情報を入れ込む。このため、ドライバー端末機（35）は、取得した許可情報（95）に含まれる通信用情報を用いて、対応する一つの無線ＬＡＮアダプタ（31）との無線通信を行うことができる。
【０２４７】
このように、本実施形態の管理システム（30）及び管理方法において、管理者端末機（32）は、ドライバー端末機（35）が無線ＬＡＮアダプタ（31）と通信するために必要な通信用情報（具体的には、ＳＳＩＤと暗号化キー）を、許可情報（95）に含める。このため、ドライバー端末機（35）に許可情報（95）を読み取らせることによって、ドライバー端末機（35）に通信用情報を取得させることが可能となり、ドライバー端末機（35）の使用者の利便性が向上する。
【０２４８】
−実施形態の特徴（６）−
本実施形態の管理システム（30）において、管理者端末機（32）及びドライバー端末機（35）は、冷凍機（10）が取り付けられた輸送用コンテナ（5）に固有のコンテナ識別記号と、冷凍機（10）が取り付けられた輸送用コンテナ（5）を搭載する輸送用車両（2）のナンバープレート（3）に記載された車両登録情報とを取得して表示するように構成される。
【０２４９】
本実施形態の管理システム（30）によって行われる管理方法において、管理者端末機（32）及びドライバー端末機（35）は、冷凍機（10）が取り付けられた輸送用コンテナ（5）に固有のコンテナ識別記号と、冷凍機（10）が取り付けられた輸送用コンテナ（5）を搭載する輸送用車両（2）のナンバープレート（3）に記載された車両登録情報とを取得して表示する。
【０２５０】
本実施形態の管理システム（30）及び管理方法において、管理者端末機（32）とドライバー端末機（35）のそれぞれは、輸送用コンテナ（5）のコンテナ識別記号と、トレーラ（2）の車両登録情報との一方または両方を取得して表示する。このため、管理者端末機（32）の使用者は、管理者端末機（32）に表示されたコンテナ識別記号と車両登録情報との一方または両方に基づいて、管理者端末機（32）が無線通信を行う無線ＬＡＮアダプタ（31）に対応する冷凍機（10）を容易に確認できる。また、ドライバー端末機（35）の使用者は、ドライバー端末機（35）に表示されたコンテナ識別記号と車両登録情報との一方または両方に基づいて、ドライバー端末機（35）が無線通信を行う無線ＬＡＮアダプタ（31）に対応する冷凍機（10）を容易に確認できる。
【０２５１】
−実施形態の特徴（７）−
本実施形態の管理システム（30）において、ドライバー端末機（35）は、予め設定された許可期間においてだけ、無線ＬＡＮアダプタ（31）に操作指令を送信できるように構成される。
【０２５２】
本実施形態の管理システム（30）によって行われる管理方法では、ドライバー端末機（35）に、予め設定された許可期間においてだけ、無線ＬＡＮアダプタ（31）に対する操作指令の送信を認める。
【０２５３】
本実施形態の管理システム（30）及び管理方法において、ドライバー端末機（35）は、許可期間でなければ、操作指令を無線ＬＡＮアダプタ（31）に送信できない。このため、ドライバー端末機（35）が第三者の手に渡った場合でも、許可期間が経過した後は、第三者がドライバー端末機（35）を使って冷凍機（10）を操作することができない。従って、本実施形態によれば、ドライバー端末機（35）が操作指令を無線ＬＡＮアダプタ（31）に送信できるための条件が厳しくなり、管理システム（30）のセキュリティが更に高まる。
【０２５４】
−実施形態の特徴（８）−
本実施形態の管理システム（30）において、無線ＬＡＮアダプタ（31）は、管理者端末機（32）と通信しているときにドライバー端末機（35）との通信を拒否し、管理者端末機（32）と通信していないときにドライバー端末機（35）と通信するように構成される。
【０２５５】
本実施形態の管理システム（30）によって行われる管理方法では、無線ＬＡＮアダプタ（31）が管理者端末機（32）と通信しているときに、無線ＬＡＮアダプタ（31）にドライバー端末機（35）との通信を拒否させ、無線ＬＡＮアダプタ（31）が管理者端末機（32）と通信していないときに、無線ＬＡＮアダプタ（31）にドライバー端末機（35）との通信を認める。
【０２５６】
本実施形態の管理システム（30）及び管理方法において、無線ＬＡＮアダプタ（31）は、管理者端末機（32）とドライバー端末機（35）のうち、管理者端末機（32）と優先的に通信する。
【０２５７】
−実施形態の特徴（９）−
本実施形態の管理システム（30）において、無線ＬＡＮアダプタ（31）は、“その無線ＬＡＮアダプタ（31）に対応する冷凍機（10）の運転状態”に関する運転情報を取得し、取得した運転情報を管理者端末機（32）及びドライバー端末機（35）に送信するように構成される。また、管理者端末機（32）とドライバー端末機（35）のそれぞれは、受信した運転情報を表示するように構成される。
【０２５８】
本実施形態の管理システム（30）によって行われる管理方法では、無線ＬＡＮアダプタ（31）に、その無線ＬＡＮアダプタ（31）に対応する冷凍機（10）の運転状態に関する運転情報を取得させると共に、取得した運転情報を管理者端末機（32）及びドライバー端末機（35）に送信させる。また、この管理方法では、管理者端末機（32）とドライバー端末機（35）のそれぞれに、受信した運転情報を表示させる。
【０２５９】
本実施形態の管理システム（30）及び管理方法において、無線ＬＡＮアダプタ（31）は、冷凍機（10）から取得した運転情報を、管理者端末機（32）及びドライバー端末機（35）に送信する。管理者端末機（32）とドライバー端末機（35）のそれぞれは、受信した運転情報を表示する。このため、管理者端末機（32）及びドライバー端末機（35）の使用者は、冷凍機（10）から離れた場所においても、冷凍機（10）の運転状態に関する運転情報を知ることができる。
【０２６０】
−実施形態の特徴（１０）−
本実施形態のアプリケーションプログラム（33）は、複数の輸送用コンテナ（5）に一つずつ取り付けられた冷凍機（10）を管理する管理システム（30）を構成し、各冷凍機（10）に一つずつ設けられる無線ＬＡＮアダプタ（31）と無線通信する管理者端末機（32）にインストールされるプログラムである。このアプリケーションプログラム（33）は、冷凍機（10）を操作するための操作指令を、その冷凍機（10）に対応した無線ＬＡＮアダプタ（31）へ送信する送信処理と、そのアプリケーションプログラム（33）がインストールされた管理者端末機（32）の位置が、予め設定された許可エリア（90）の内側であるか否かを判定する位置判定処理と、送信処理の実行を、位置判定処理において管理者端末機（32）の位置が許可エリア（90）の内側であると判定された場合だけに制限するエリア制限処理とを、管理者端末機（32）に実行させる。
【０２６１】
本実施形態のアプリケーションプログラム（33）がインストールされた管理者端末機（32）は、エリア制限処理を実行する。このため、管理者端末機（32）は、複数の無線ＬＡＮアダプタ（31）に対して操作指令を送信できるが、操作指令を送信できるエリアが許可エリア（90）の内側に制限される。つまり、複数の冷凍機（10）を操作可能な管理者端末機（32）について、操作指令を送信できるエリアが制限される。このため、本実施形態によれば、第三者が管理者端末機（32）を使って冷凍機（10）を操作する可能性を低減でき、管理システム（30）のセキュリティを高めることができる。
【０２６２】
−実施形態の特徴（１１）−
本実施形態の管理者端末機（32）にインストールされたアプリケーションプログラム（33）は、管理者端末機（32）と共に管理システム（30）を構成して無線ＬＡＮアダプタ（31）と無線通信するドライバー端末機（35）に、“そのドライバー端末機（35）に対応する一つの無線ＬＡＮアダプタ（31）に対する操作指令の送信”を許可する許可情報（95）を与えるための許可処理を、管理者端末機（32）に実行させる。
【０２６３】
本実施形態のアプリケーションプログラム（33）がインストールされた管理者端末機（32）は、許可処理を実行する。この管理者端末機（32）は、ドライバー端末機（35）に与える許可情報（95）において、“そのドライバー端末機（35）に対応する一つの無線ＬＡＮアダプタ（31）に対する操作指令の送信”を許可する。このため、ドライバー端末機（35）は、操作できる冷凍機（10）が一台だけに制限される。従って、本実施形態によれば、第三者によって操作される冷凍機（10）の台数を制限でき、管理システム（30）のセキュリティを高めることができる。
【０２６４】
また、本実施形態のアプリケーションプログラム（33）がインストールされた管理者端末機（32）と共に管理システム（30）を構成するドライバー端末機（35）は、管理者端末機（32）から許可情報（95）を取得した後でなければ、操作指令を無線ＬＡＮアダプタ（31）に送信できない。従って、本実施形態によれば、ドライバー端末機（35）が操作指令を無線ＬＡＮアダプタ（31）に送信できるための条件を厳格化でき、管理システム（30）のセキュリティを更に高めることができる。
【０２６５】
−実施形態の特徴（１２）−
本実施形態の管理者端末機（32）にインストールされたアプリケーションプログラム（33）は、許可情報（95）を表示する処理を、許可処理として管理者端末機（32）に実行させる。このアプリケーションプログラム（33）がインストールされた管理者端末機（32）は、その許可処理において、許可情報（95）を表示する。
【０２６６】
−実施形態の特徴（１３）−
本実施形態の管理者端末機（32）にインストールされたアプリケーションプログラム（33）は、許可情報（95）をマトリックス型二次元コードに変換して表示する処理を、許可処理において管理者端末機（32）に実行させる。このアプリケーションプログラム（33）がインストールされた管理者端末機（32）は、マトリックス型二次元コードに変換した許可情報（95）を表示する。
【０２６７】
−実施形態の特徴（１４）−
本実施形態の管理者端末機（32）にインストールされたアプリケーションプログラム（33）は、“許可情報（95）を取得したドライバー端末機（35）が操作指令を送信できる一つの無線ＬＡＮアダプタ（31）”を特定するための通信用情報を許可情報（95）に含める処理を、許可処理において管理者端末機（32）に実行させる。
【０２６８】
このアプリケーションプログラム（33）がインストールされた管理者端末機（32）は、ドライバー端末機（35）に与える許可情報（95）に、通信用情報を入れ込む。このため、管理者端末機（32）は、無線ＬＡＮアダプタ（31）に対して操作指令を送信するための許可と共に、ドライバー端末機（35）が無線ＬＡＮアダプタ（31）と通信するために必要な通信用情報（具体的には、ＳＳＩＤと暗号化キー）をドライバー端末機（35）に与えることができる。
【０２６９】
−実施形態の特徴（１５）−
本実施形態の管理者端末機（32）にインストールされたアプリケーションプログラム（33）は、冷凍機（10）が取り付けられた輸送用コンテナ（5）に固有のコンテナ識別記号と、冷凍機（10）が取り付けられた輸送用コンテナ（5）を搭載する輸送用車両（2）のナンバープレート（3）に記載された車両登録情報とを取得して表示する処理を、管理者端末機（32）に実行させる。
【０２７０】
このアプリケーションプログラム（33）がインストールされた管理者端末機（32）は、コンテナ識別記号と車両登録情報とを取得して表示する。このため、管理者端末機（32）の使用者は、管理者端末機（32）に表示されたコンテナ識別記号と車両登録情報とに基づいて、管理者端末機（32）が無線通信を行う無線通信ユニット（31）に対応する冷凍機（10）を容易に確認できる。
【０２７１】
−実施形態の特徴（１６）−
本実施形態の管理者端末機（32）にインストールされたアプリケーションプログラム（33）は、複数の無線ＬＡＮアダプタ（31）のそれぞれから、“その無線ＬＡＮアダプタ（31）に対応する冷凍機（10）の運転状態”に関する運転情報を取得する運転情報取得処理と、取得した運転情報を表示する運転情報表示処理とを、管理者端末機（32）に実行させる。
【０２７２】
このアプリケーションプログラム（33）がインストールされた管理者端末機（32）は、複数の無線ＬＡＮアダプタ（31）のそれぞれから取得した運転情報を表示する。このため、管理者端末機（32）の使用者は、複数の冷凍機（10）の運転状態に関する運転情報を、容易に知ることが可能となる。
【０２７３】
−実施形態の特徴（１７）−
本実施形態のアプリケーションプログラム（36）は、複数の輸送用コンテナ（5）に一つずつ取り付けられた冷凍機（10）を管理する管理システム（30）を構成し、各冷凍機（10）に一つずつ設けられる無線ＬＡＮアダプタ（31）と無線通信するドライバー端末機（35）にインストールされるプログラムである。このアプリケーションプログラム（36）は、許可取得処理と送信処理とを、ドライバー端末機（35）に実行させる。許可取得処理は、ドライバー端末機（35）と共に管理システム（30）を構成する管理者端末機（32）から、許可情報（95）を取得する処理である。許可情報（95）は、ドライバー端末機（35）に対応する一つの無線ＬＡＮアダプタ（31）だけに対する“その無線ＬＡＮアダプタ（31）に対応した冷凍機（10）を操作するための操作指令”の送信を許可する情報である。操作指令は、許可情報（95）の取得後に、その許可情報（95）によって操作指令の送信を許可された一つの上記無線ＬＡＮアダプタ（31）に対して操作指令を送信する処理である。
【０２７４】
このアプリケーションプログラム（36）がインストールされたドライバー端末機（35）は、許可取得処理を実行する。ドライバー端末機（35）は、許可取得処理を行うことによって、管理者端末機（32）から許可情報（95）を取得する。許可情報（95）を取得したドライバー端末機（35）は、そのドライバー端末機（35）に対応する一つの無線ＬＡＮアダプタ（31）に対してだけ、操作指令の送信できる。
【０２７５】
このアプリケーションプログラム（36）がインストールされたドライバー端末機（35）は、操作できる冷凍機（10）が一台だけに制限される。従って、本実施形態によれば、第三者によって操作される冷凍機（10）の台数を制限でき、管理システム（30）のセキュリティを高めることができる。
【０２７６】
また、このアプリケーションプログラム（36）がインストールされたドライバー端末機（35）は、管理者端末機（32）から許可情報（95）を取得した後でなければ、操作指令を無線ＬＡＮアダプタ（31）に送信できない。従って、本実施形態によれば、ドライバー端末機（35）が操作指令を無線ＬＡＮアダプタ（31）に送信できるための条件を厳格化でき、管理システム（30）のセキュリティを更に高めることができる。
【０２７７】
−実施形態の特徴（１８）−
本実施形態のドライバー端末機（35）にインストールされたアプリケーションプログラム（36）は、管理者端末機（32）に表示された許可情報（95）を読み取って取得する処理を、許可取得処理としてドライバー端末機（35）に実行させる。
【０２７８】
このアプリケーションプログラム（36）がインストールされたドライバー端末機（35）は、管理者端末機（32）に表示された許可情報（95）を読み取ることによって、管理者端末機（32）から許可情報（95）を取得する。従って、本実施形態によれば、管理者端末機（32）の使用者がドライバー端末機（35）の使用者を見て確認することが可能となり、管理システム（30）のセキュリティが更に高まる。
【０２７９】
−実施形態の特徴（１９）−
本実施形態のドライバー端末機（35）にインストールされたアプリケーションプログラム（36）は、“ドライバー端末機（35）が操作指令を送信できる一つの無線ＬＡＮアダプタ（31）”を特定するための通信用情報を含む許可情報（95）を管理者端末機（32）から取得する処理を、許可取得処理においてドライバー端末機（35）に実行させる。
【０２８０】
このアプリケーションプログラム（36）がインストールされたドライバー端末機（35）は、許可取得処理において、通信用情報を含む許可情報（95）を、管理者端末機（32）から取得する。そして、副端末ユニット（35）は、取得した許可情報（95）に含まれる通信用情報を用いて、対応する一つの無線通信ユニット（31）との無線通信を行うことができる。従って、本実施形態によれば、ドライバー端末機（35）が許可情報（95）を読み取ることによって通信用情報を取得することが可能となり、ドライバー端末機（35）の使用者の利便性が向上する。
【０２８１】
−実施形態の特徴（２０）−
本実施形態のドライバー端末機（35）にインストールされたアプリケーションプログラム（36）は、冷凍機（10）が取り付けられた輸送用コンテナ（5）に固有のコンテナ識別記号と、冷凍機（10）が取り付けられた輸送用コンテナ（5）を搭載するトレーラ（2）のナンバープレート（3）に記載された車両登録情報とを取得して表示する処理を、副端末ユニット（35）に実行させる。
【０２８２】
このアプリケーションプログラム（36）がインストールされたドライバー端末機（35）は、コンテナ識別記号と車両登録情報とを取得して表示する。このため、ドライバー端末機（35）の使用者は、ドライバー端末機（35）に表示されたコンテナ識別記号と車両登録情報とに基づいて、ドライバー端末機（35）が無線通信を行う無線ＬＡＮアダプタ（31）に対応する冷凍機（10）を容易に確認できる。
【０２８３】
−実施形態の特徴（２１）−
本実施形態のドライバー端末機（35）にインストールされたアプリケーションプログラム（36）は、予め設定された許可期間にだけ上記送信処理の実行を認める期間制限処理を、ドライバー端末機（35）に実行させる。
【０２８４】
このアプリケーションプログラム（36）がインストールされたドライバー端末機（35）は、許可期間でなければ、操作指令を無線ＬＡＮアダプタ（31）に送信できない。従って、本実施形態によれば、ドライバー端末機（35）が操作指令を無線ＬＡＮアダプタ（31）に送信できるための条件が厳しくなり、管理システム（30）のセキュリティが更に高まる。
【０２８５】
−実施形態の特徴（２２）−
本実施形態のドライバー端末機（35）にインストールされたアプリケーションプログラム（36）は、ドライバー端末機（35）に対応する無線ＬＡＮアダプタ（31）から、“その無線ＬＡＮアダプタ（31）に対応する冷凍機（10）の運転状態”に関する運転情報を取得する運転情報取得処理と、取得した運転情報を表示する運転情報表示処理とを、ドライバー端末機（35）に実行させる。
【０２８６】
このアプリケーションプログラム（36）がインストールされたドライバー端末機（35）は、そのドライバー端末機（35）に対応する無線ＬＡＮアダプタ（31）から取得した運転情報を表示する。このため、ドライバー端末機（35）の使用者は、そのドライバー端末機（35）を用いて操作できる冷凍機（10）の運転状態に関する運転情報を、冷凍機（10）から離れた場所においても、知ることが可能となる。
【０２８７】
−実施形態の変形例−
〈第１変形例〉
本実施形態の管理システム（30）において、管理者端末機（32）の使用者識別部（54）が用いる使用者識別情報は、パスワードに限定されない。つまり、管理者端末機（32）にインストールされたアプリケーションプログラム（33）は、パスワード以外の情報を使用者識別情報として用いるように構成されていてもよい。
【０２８８】
本変形例の使用者識別部（54）は、例えば使用者の指紋の形状または虹彩のパターン（模様）を、使用者識別情報として用いるように構成されていてもよい。この場合、使用者識別情報記憶部（64）は、予め登録された特定人物の指紋の形状または虹彩のパターン（模様）を“登録済み使用者識別情報”として記憶する。そして、使用者識別部（54）は、使用者の指紋の形状または虹彩のパターン（模様）を取得し、取得した指紋の形状または虹彩のパターン（模様）が“登録済み使用者識別情報”と一致するか否かを判断する。
【０２８９】
〈第２変形例〉
本実施形態の管理システム（30）において、管理者端末機（32）の許可エリア設定部（52）は、許可エリア（90）の変更を許容するように構成されていてもよい。つまり、管理者端末機（32）にインストールされたアプリケーションプログラム（33）は、許可エリア（90）を変更する処理を管理者端末機（32）に実行させるように構成されていてもよい。
【０２９０】
本変形例の管理者端末機（32）は、許可エリア設定部（52）が許可エリア（90）の変更を受け付ける前に、使用者識別部（54）に使用者識別情報要求処理を実行させる。この場合、許可エリア設定部（52）は、入力された使用者識別情報が登録済みの使用者識別情報と一致する場合にだけ、許可エリア（90）を変更するための処理を実行する。
【０２９１】
〈第３変形例〉
本実施形態の管理者端末機（32）の許可付与部（56）は、“トレーラ（2）の車両登録情報”と“輸送用コンテナ（5）のコンテナ識別記号”のどちらか一方だけを、冷凍機識別情報として許可情報（95）に含めるように構成されていてもよい。
【０２９２】
〈第４変形例〉
本実施形態の管理者端末機（32）は、トレーラ選択画面（110）の各トレーラ表示領域（111）と、モニター画面（120）、運転履歴取得画面（130）、及びドライバー認証画面（135）のトレーラ表示領域（121）との少なくとも一つにおいて、“トレーラ（2）の車両登録情報”と“輸送用コンテナ（5）のコンテナ識別記号”のどちらか一方だけを表示するように構成されていてもよい。
【０２９３】
〈第５変形例〉
本実施形態の管理者端末機（32）の位置情報取得部（51）は、ＧＰＳ衛星が発信する情報以外の情報に基づいて、管理者端末機（32）の位置を特定するように構成されていてもよい。本変形例の位置情報取得部（51）は、例えば、無線通信網（例えば、携帯電話網や公衆無線ＬＡＮ）の基地局が発信する位置情報を用いて、管理者端末機（32）の位置を特定するように構成されていてもよい。
【０２９４】
〈第６変形例〉
本実施形態の管理者端末機（32）の許可エリア設定部（52）が設定する許可エリア（90）の形状は、円形に限定されない。許可エリア（90）の形状は、例えば、矩形状であってもよいし、楕円形であってもよい。また、許可エリア設定部（52）は、管理者端末機（32）の使用者が冷凍機（10）を操作する必要のあるエリアそのもの（上記の実施形態では、配送センター（91）の敷地）を、許可エリア（90）に設定できるように構成されていてもよい。
【０２９５】
〈第７変形例〉
本実施形態の管理者端末機（32）の許可エリア設定部（52）は、基準半径を取得する処理が省略されていてもよい。この場合、許可エリア設定部（52）は、取得した基準位置に基づいて、予め定められた広さの許可エリア（90）を設定するように構成される。
【０２９６】
〈第８変形例〉
本実施形態の管理システム（30）において、管理者端末機（32）及びドライバー端末機（35）は、アプリケーションプログラムがインストールされた「コンピュータ」であればよく、スマートフォンまたはタブレット端末に限定されない。なお、この「コンピュータ」は、「計算の手順（アルゴリズム）を記述したプログラムを記憶し、記憶するプログラムに従って計算を実行する機械」を指す。従って、管理者端末機（32）及びドライバー端末機（35）は、例えばアプリケーションプログラムがインストールされたパーソナルコンピュータであってもよい。
【０２９７】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０２９８】
以上説明したように、本開示は、冷凍機の管理システム、冷凍機の管理方法、主端末ユニット用のプログラム、及び副端末ユニット用のプログラムについて有用である。
【符号の説明】
【０２９９】
2    トレーラ（輸送用車両）
3    ナンバープレート
5    輸送用コンテナ
10    冷凍機
11    制御器
30    管理システム
31    無線ＬＡＮアダプタ（無線通信ユニット）
32    管理者端末機（主端末ユニット）
35    ドライバー端末機（副端末ユニット）
90    許可エリア
95    許可情報
【図１】
2020022144.tif 000003
【図２】
2020022144.tif 000004
【図３】
2020022144.tif 000005
【図４】
2020022144.tif 000006
【図５】
2020022144.tif 000007
【図６】
2020022144.tif 000008
【図７】
2020022144.tif 000009
【図８】
2020022144.tif 000010
【図９】
2020022144.tif 000011
【図１０】
2020022144.tif 000012
【図１１】
2020022144.tif 000013
【図１２】
2020022144.tif 000014
【図１３】
2020022144.tif 000015
【図１４】
2020022144.tif 000016
【図１５】
2020022144.tif 000017
【図１６】
2020022144.tif 000018
【図１７】
2020022144.tif 000019
【図１８】
2020022144.tif 000020